(57)【要約】カメラレンズモジュールは、画像センサーおよびレンズ組立体を含む。画像センサーは、感光経路を画定する感光性チップを含み、レンズ組立体は、感光性チップの感光経路に沿って画像センサーに連結される。レンズ組立体は、少なくとも１つの光学レンズモジュール、および光学レンズモジュールで連結された開口部材を含み、光学レンズモジュールは、鏡筒および鏡筒内で支持された少なくとも１つの光学レンズを含む。レンズ組立体の画像センサーに関する相対位置は、較正のために調整可能であり、光学レンズモジュールの相対位置は、較正後、永久的に固定され、それにより、カメラレンズモジュールの製造プロセスを単純化し、カメラレンズモジュールの製造コストを削減して、カメラレンズモジュールの画像品質を向上させる。【選択図】図７
2019505827.tif 000002
【特許請求の範囲】
【請求項１】
カメラレンズモジュールであって、
画像センサーと、
第１の光学レンズモジュール、第２の光学レンズモジュール、および第３の光学レンズモジュールを含むレンズ組立体と
を備え、
前記第１の光学レンズモジュールは、第１の光学レンズと、第２の光学レンズと、第１の鏡筒とを含み、前記第１の光学レンズおよび前記第２の光学レンズは、前記第１の鏡筒内に間隔を置いて支持されており、前記第２の光学レンズモジュールは、第３の光学レンズと、第２の鏡筒とを含み、前記第３の光学レンズは、前記第２の鏡筒内で支持されており、前記第３の光学レンズモジュールは、第４の光学レンズと、第５の光学レンズと、第３の鏡筒とを含み、前記第４の光学レンズおよび前記第５の光学レンズは、前記第３の鏡筒内で間隔を置いて支持されており、
前記第１の光学レンズモジュール、前記第２の光学レンズモジュール、および前記第３の光学レンズモジュールは、位置調整方式で、前記画像センサー上に順序正しく事前組立され、前記第１の光学レンズモジュール、前記第２の光学レンズモジュール、および前記第３の光学レンズモジュールの各々の組立位置が、較正のために前記画像センサーの位置に関して調整可能であり、そのため、前記第１の光学レンズモジュール、前記第２の光学レンズモジュール、および前記第３の光学レンズモジュールは、前記画像センサーの感光経路と一致するように調整され、それにより、前記カメラレンズモジュールの画像品質を向上させる、
カメラレンズモジュール。
【請求項２】
前記第１の光学レンズモジュール、前記第２の光学レンズモジュール、および前記第３の光学レンズモジュールを事前組立するための接着要素をさらに含み、前記接着要素は、ＵＶ曝露下で半凝固状態で形成されて熱処理後に凝固され、そのため、前記接着要素が半凝固状態のとき、前記第１の光学レンズモジュール、前記第２の光学レンズモジュール、および前記第３の光学レンズモジュールの前記組立位置が較正のために調整可能であり、前記接着要素が凝固されるとき、前記第１の光学レンズモジュール、前記第２の光学レンズモジュール、および前記第３の光学レンズモジュールが較正後に永久的に固定される、請求項１に記載のカメラレンズモジュール。
【請求項３】
前記第１の光学レンズモジュール、前記第２の光学レンズモジュール、および前記第３の光学レンズモジュールの各々の前記位置が、前記カメラレンズモジュールの６つの軸Ｘ、Ｙ、Ｚ、Ｕ、Ｖ、Ｗで調整可能である、請求項２に記載のカメラレンズモジュール。
【請求項４】
事前組立状態の間、前記第１の光学レンズモジュール、前記第２の光学レンズモジュール、および前記第３の光学レンズモジュールの各々の前記組立位置を較正ソフトウェアによって決定するために、前記レンズ組立体が帯電されて画像を捕捉し、それにより、前記第１の光学レンズモジュール、前記第２の光学レンズモジュール、および前記第３の光学レンズモジュールを正確に調整する、請求項３に記載のカメラレンズモジュール。
【請求項５】
前記第１の鏡筒が第１の位置決めユニットと、第２の位置決めユニットとを備え、前記第１および第２の光学レンズが、それぞれ、前記第１および第２の位置決めユニットによって支持され、前記第２の鏡筒が第３の位置決めユニットを備え、前記第３の光学レンズが前記第３の位置決めユニットによって支持され、前記第３の鏡筒が第４の位置決めユニットと、第５の位置決めユニットとを備え、前記第４および第５の光学レンズが、それぞれ、前記第４および第５の位置決めユニットによって支持される、請求項４に記載のカメラレンズモジュール。
【請求項６】
前記第１の光学レンズモジュール上に取り付けられた開口部材をさらに備える、請求項５に記載のカメラレンズモジュール。
【請求項７】
前記画像センサーは、色フィルタと、レンズ基部と、感光性チップと、制御回路基板とを含み、前記色フィルタは、前記レンズ基部上に取り付けられて、前記感光性チップの前記感光経路と位置合わせされ、前記感光性チップは、前記制御回路基板の上部に連結され、前記制御回路基板は、前記レンズ基部の周辺部分に連結される、請求項６に記載のカメラレンズモジュール。
【請求項８】
前記レンズ基部は、第１の保持溝と、第２の保持溝とを有し、前記色フィルタは、前記第１の保持溝で支持されて、前記感光性チップは前記第２の保持溝内に受け入れられる、請求項７に記載のカメラレンズモジュール。
【請求項９】
自動焦点カメラレンズモジュールであり、前記レンズ組立体を前記感光性チップの前記感光経路に沿って制御可能に動かすために、前記レンズ組立体に動作可能に連結されたドライバーをさらに備える、請求項８に記載のカメラレンズモジュール。
【請求項１０】
カメラレンズモジュールであって、
画像センサーと、
第１の光学レンズモジュール、第２の光学レンズモジュール、および第３の光学レンズモジュールを含むレンズ組立体と
を備え、
前記第１の光学レンズモジュールは、第１の光学レンズと、第１の鏡筒とを含み、前記第１の光学レンズは前記第１の鏡筒内で支持されており、前記第２の光学レンズモジュールは、第２の光学レンズと、第２の鏡筒とを含み、前記第２の光学レンズは、前記第２の鏡筒内で支持されており、前記第３の光学レンズモジュールは、第３の光学レンズと、第３の鏡筒とを含み、前記第３の光学レンズは、前記第３の鏡筒内で支持されており、
前記第３の光学レンズモジュールは、前記画像センサー上に無調整式に固定されており、前記第１の光学レンズモジュールおよび前記第２の光学レンズモジュールは、位置調整方式で、前記第３の光学レンズモジュール上に順序正しく事前組立されており、前記第１の光学レンズモジュールおよび前記第２の光学レンズモジュールの各々の組立位置が、較正のために前記画像センサーの位置に関して調整可能であり、そのため、前記第１の光学レンズモジュール、前記第２の光学レンズモジュール、および前記第３の光学レンズモジュールが、前記画像センサーの感光経路と一致するように調整され、それにより、前記カメラレンズモジュールの前記画像品質を向上させる、
カメラレンズモジュール。
【請求項１１】
前記第１の光学レンズモジュールおよび前記第２の光学レンズモジュールを事前組立するための接着要素をさらに含み、前記接着要素は、ＵＶ曝露下で半凝固状態で形成されて熱処理後に凝固され、そのため、前記接着要素が半凝固状態のとき、前記第１の光学レンズモジュールおよび前記第２の光学レンズモジュールの前記組立位置が較正のために調整可能であり、前記接着要素が凝固されるとき、前記第１の光学レンズモジュールおよび前記第２の光学レンズモジュールが較正後に永久的に固定される、請求項１０に記載のカメラレンズモジュール。
【請求項１２】
前記第１の光学レンズモジュールおよび前記第２の光学レンズモジュールの各々の前記位置が、前記カメラレンズモジュールの６つの軸Ｘ、Ｙ、Ｚ、Ｕ、Ｖ、Ｗで調整可能である、請求項１１に記載のカメラレンズモジュール。
【請求項１３】
事前組立状態の間、前記第１の光学レンズモジュールおよび前記第２の光学レンズモジュールの各々の前記組立位置を較正ソフトウェアによって決定するために、前記レンズ組立体が帯電されて画像を捕捉し、それにより、前記第１の光学レンズモジュールおよび前記第２の光学レンズモジュールを正確に調整する、請求項１２に記載のカメラレンズモジュール。
【請求項１４】
前記画像センサーは、色フィルタと、感光性チップと、制御回路基板とを含み、前記色フィルタは、前記第３の鏡筒に取り付けられて、前記感光性チップの前記感光経路と位置合わせされ、前記感光性チップは、前記制御回路基板上に連結される、請求項１３に記載のカメラレンズモジュール。
【請求項１５】
前記第３の鏡筒は、それぞれ、前記第３の鏡筒の上部、中央部、および下部に順序正しく、間隔を置いて形成された、第１の保持溝と、第２の保持溝と、第３の保持溝とを含み、前記色フィルタは、前記第２の保持溝で支持され、前記感光性チップは、前記第３の保持溝内に受け入れられて、前記第３の鏡筒は前記制御回路基板で連結される、請求項１４に記載のカメラレンズモジュール。
【請求項１６】
前記第１の鏡筒が第１の位置決めユニットを備え、前記第１光学レンズが、前記第１の位置決めユニットによって支持され、前記第２の鏡筒が第２の位置決めユニットを備え、前記第２の光学レンズが前記第２の位置決めユニットによって支持され、前記第３の鏡筒が第３の位置決めユニットを備え、前記第３の光学レンズが、前記第３の位置決めユニットによって支持される、請求項１５に記載のカメラレンズモジュール。
【請求項１７】
前記第１の光学レンズモジュール上に取り付けられた開口部材をさらに備える、請求項１６に記載のカメラレンズモジュール。
【請求項１８】
カメラレンズモジュールであって、
画像センサーと、
第１の光学レンズモジュール、第２の光学レンズモジュール、および第３の光学レンズモジュールを含むレンズ組立体と
を備え、
前記第１の光学レンズモジュールは、第１の光学レンズと、第１の鏡筒とを含み、前記第１の光学レンズは前記第１の鏡筒内で支持されており、前記第２の光学レンズモジュールは、第２の光学レンズと、第２の鏡筒とを含み、前記第２の光学レンズは、前記第２の鏡筒内で支持されており、前記第３の光学レンズモジュールは、第３の光学レンズと、第４の光学レンズと、第３の鏡筒とを含み、前記第３の光学レンズおよび前記第４の光学レンズは、前記第３の鏡筒内で間隔を置いて支持されており、
前記第１の光学レンズモジュールおよび前記第２の光学レンズモジュールは、位置調整方式で、前記第３の光学レンズモジュール上に順序正しく事前組立されており、前記第１の光学レンズモジュールおよび前記第２の光学レンズモジュールの各々の組立位置が、較正のために前記画像センサーの位置に関して調整可能であり、そのため、前記第１の光学レンズモジュール、前記第２の光学レンズモジュール、および前記第３の光学レンズモジュールが、前記画像センサーの感光経路と一致するように調整され、それにより、前記カメラレンズモジュールの前記画像品質を向上させ、
前記第１の鏡筒が、前記第１の鏡筒の内部と外側とを連絡する少なくとも１つの較正チャネルを有し、前記較正チャネルは、前記第１の光学レンズまで位置合わせされて延出し、そのため、前記第１の鏡筒内の前記第１の光学レンズの前記組立位置が前記較正チャネルを通して調整可能である、
カメラレンズモジュール。
【請求項１９】
前記第１の光学レンズモジュールおよび前記第２の光学レンズモジュールを事前組立するための接着要素をさらに含み、前記接着要素は、ＵＶ曝露下で半凝固状態で形成されて熱処理後に凝固され、そのため、前記接着要素が半凝固状態のとき、前記第１の光学レンズモジュールおよび前記第２の光学レンズモジュールの前記組立位置が較正のために調整可能であり、前記接着要素が凝固されるとき、前記第１の光学レンズモジュールおよび前記第２の光学レンズモジュールが較正後に永久的に固定される、請求項１８に記載のカメラレンズモジュール。
【請求項２０】
前記第１の光学レンズモジュールおよび前記第２の光学レンズモジュールの各々の前記組立位置が、前記カメラレンズモジュールの６つの軸Ｘ、Ｙ、Ｚ、Ｕ、Ｖ、Ｗで調整可能である、請求項１９に記載のカメラレンズモジュール。
【請求項２１】
事前組立状態の間、前記第１の光学レンズモジュールおよび前記第２の光学レンズモジュールの各々の前記組立位置を較正ソフトウェアによって決定するために、前記レンズ組立体が帯電されて画像を捕捉し、それにより、前記第１の光学レンズモジュールおよび前記第２の光学レンズモジュールを正確に調整する、請求項２０に記載のカメラレンズモジュール。
【請求項２２】
前記第１の鏡筒が第１の位置決めユニットを備え、前記第１光学レンズが、前記第１の位置決めユニットによって支持され、前記第２の鏡筒が第２の位置決めユニットを備え、前記第２の光学レンズが前記第２の位置決めユニットによって支持され、前記第３の鏡筒が第３の位置決めユニットと、第４の位置決めユニットとを備え、前記第３の光学レンズおよび第４の光学レンズが、それぞれ、前記第３の位置決めユニットおよび第４の位置決めユニットによって支持される、請求項２１に記載のカメラレンズモジュール。
【請求項２３】
前記第１の光学レンズモジュール上に取り付けられた開口部材をさらに備える、請求項２２に記載のカメラレンズモジュール。
【請求項２４】
前記画像センサーは、色フィルタと、レンズ基部と、感光性チップと、制御回路基板とを含み、前記色フィルタは、前記レンズ基部上に取り付けられて、前記感光性チップの前記感光経路と位置合わせされ、前記感光性チップは、前記制御回路基板の上部に連結され、前記制御回路基板は、前記レンズ基部の周辺部分に連結される、請求項２３に記載のカメラレンズモジュール。
【請求項２５】
前記レンズ基部は、第１の保持溝と、第２の保持溝とを有し、前記色フィルタは、前記第１の保持溝で支持されて、前記感光性チップは前記第２の保持溝内に受け入れられる、請求項２４に記載のカメラレンズモジュール。
【請求項２６】
自動焦点カメラレンズモジュールであり、前記レンズ組立体を前記感光性チップの前記感光経路に沿って制御可能に動かすために、前記レンズ組立体に動作可能に連結されたドライバーをさらに備える、請求項２５に記載のカメラレンズモジュール。
【請求項２７】
カメラレンズモジュールであって、
画像センサーと、
第１の光学レンズモジュール、第２の光学レンズモジュール、および第３の光学レンズモジュールを含むレンズ組立体と
を備え、
前記第１の光学レンズモジュールは、第１の光学レンズと、第１の鏡筒とを含み、前記第１の光学レンズは前記第１の鏡筒内で支持されており、前記第２の光学レンズモジュールは、第２の光学レンズと、第２の鏡筒とを含み、前記第２の光学レンズは、前記第２の鏡筒内で支持されており、前記第３の光学レンズモジュールは、第３の光学レンズと、第３の鏡筒とを含み、前記第３の光学レンズは、前記第３の鏡筒内で支持されており、
前記第３の光学レンズモジュールは、前記画像センサー上に無調整式に固定されており、前記第１の光学レンズモジュールおよび前記第２の光学レンズモジュールは、位置調整方式で、前記第３の光学レンズモジュール上に順序正しく事前組立されており、前記第１の光学レンズモジュールおよび前記第２の光学レンズモジュールの各々の組立位置が、較正のために前記画像センサーの位置に関して調整可能であり、そのため、前記第１の光学レンズモジュール、前記第２の光学レンズモジュール、および前記第３の光学レンズモジュールが、前記画像センサーの感光経路と一致するように調整され、それにより、前記カメラレンズモジュールの前記画像品質を向上させ、
前記第３の鏡筒が、前記第３の鏡筒の内部と外側とを連絡する少なくとも１つの較正チャネルを有し、前記較正チャネルは、前記第３の光学レンズまで位置合わせされて延出し、そのため、第３第１の鏡筒内の前記第３の光学レンズの前記組立位置が前記較正チャネルを通して調整可能である、
カメラレンズモジュール。
【請求項２８】
前記第１の光学レンズモジュール上に取り付けられた開口部材をさらに備える、請求項２７に記載のカメラレンズモジュール。
【請求項２９】
前記開口部材、前記第１の光学レンズモジュール、および前記第２の光学レンズモジュールを事前組立するための接着要素をさらに含み、前記接着要素は、ＵＶ曝露下で半凝固状態で形成されて熱処理後に凝固され、そのため、前記接着要素が半凝固状態のとき、前記開口部材、前記第１の光学レンズモジュールおよび前記第２の光学レンズモジュールの前記組立位置が較正のために調整可能であり、前記接着要素が凝固されるとき、前記第１の光学レンズモジュールおよび前記第２の光学レンズモジュールが較正後に永久的に固定される、請求項２８に記載のカメラレンズモジュール。
【請求項３０】
前記開口部材、前記第１の光学レンズモジュールおよび前記第２の光学レンズモジュールの各々の前記組立位置が、前記カメラレンズモジュールの６つの軸Ｘ、Ｙ、Ｚ、Ｕ、Ｖ、Ｗで調整可能である、請求項２９に記載のカメラレンズモジュール。
【請求項３１】
事前組立状態の間、前記第１の光学レンズモジュールおよび前記第２の光学レンズモジュールの各々の前記組立位置を較正ソフトウェアによって決定するために、前記レンズ組立体が帯電されて画像を捕捉し、それにより、前記第１の光学レンズモジュールおよび前記第２の光学レンズモジュールを正確に調整する、請求項３０に記載のカメラレンズモジュール。
【請求項３２】
前記画像センサーは、色フィルタと、感光性チップと、制御回路基板とを含み、前記色フィルタは、前記第３の鏡筒に取り付けられて、前記感光性チップの前記感光経路と位置合わせされ、前記感光性チップは、前記制御回路基板上に連結される、請求項３１に記載のカメラレンズモジュール。
【請求項３３】
前記第３の鏡筒は、それぞれ、前記第３の鏡筒の上部、中央部、および下部に順序正しく、間隔を置いて形成された、第１の保持溝と、第２の保持溝と、第３の保持溝とを含み、前記色フィルタは、前記第２の保持溝で支持され、前記感光性チップは、前記第３の保持溝内に受け入れられて、前記第３の鏡筒は前記制御回路基板で連結される、請求項３２に記載のカメラレンズモジュール。
【請求項３４】
前記第１の鏡筒が第１の位置決めユニットを備え、前記第１光学レンズが、前記第１の位置決めユニットによって支持され、前記第２の鏡筒が第２の位置決めユニットを備え、前記第２の光学レンズが前記第２の位置決めユニットによって支持され、前記第３の鏡筒が第３の位置決めユニットを備え、前記第３の光学レンズが、前記第３の位置決めユニットによって支持される、請求項３３に記載のカメラレンズモジュール。
【請求項３５】
画像センサーと、
前記画像センサーの感光経路と一致するように、所定の位置で事前組立された少なくとも２つの光学レンズモジュールを含み、前記光学レンズモジュールの少なくとも１つの組立位置が前記画像センサーの前記感光経路と一致するように調整可能である、レンズ組立体と
を備える、カメラレンズモジュール。
【請求項３６】
前記レンズ組立体が、光学レンズセットと、鏡筒セットと、開口部材とを含み、前記光学レンズセットは、少なくとも１つの光学レンズを含み、前記鏡筒セットは、少なくとも１つの鏡筒を含み、前記光学レンズは、その高さ方向に沿って前記鏡筒内で支持されて、前記光学レンズモジュールの少なくとも１つを形成する、請求項３５に記載のカメラレンズモジュール。
【請求項３７】
前記光学レンズモジュールの少なくとも１つの前記組立位置が、前記カメラレンズモジュールの６つの軸Ｘ、Ｙ、Ｚ、Ｕ、Ｖ、Ｗで調整可能である、請求項３６に記載のカメラレンズモジュール。
【請求項３８】
前記光学レンズの前記少なくとも１つが、前記光学レンズモジュールの１つ内で事前組立され、そのため、前記光学レンズモジュールの１つ内の少なくとも１つの前記光学レンズの前記組立位置が調整可能である、請求項３５に記載のカメラレンズモジュール。
【請求項３９】
前記光学レンズモジュールの１つ内の前記光学レンズが、その組立位置を少なくとも１つの方向に選択的に調整される、請求項３８に記載のカメラレンズモジュール。
【請求項４０】
前記鏡筒セットが、前記鏡筒の内部を外側と連絡するために前記鏡筒の筒壁に形成された少なくとも１つの較正チャネルを含み、前記較正チャネルは、前記鏡筒内で事前組立された前記光学レンズと位置合わせされ、そのため、前記鏡筒内の前記光学レンズの前記組立位置が前記較正チャネルを通して調整可能である、請求項３９に記載のカメラレンズモジュール。
【請求項４１】
前記開口部材が、前記光学レンズモジュールの上部で連結されて、前記開口部材の前記光学レンズモジュールに関する相対位置が調整可能である、請求項３５に記載のカメラレンズモジュール。
【請求項４２】
前記開口部材が、前記光学レンズモジュールの上部で連結されて、前記開口部材の前記光学レンズモジュールに関する相対位置が調整可能である、請求項３５に記載のカメラレンズモジュール。
【請求項４３】
前記開口部材の前記光学レンズモジュールに関する前記相対位置が少なくとも１つの方向に調整可能である、請求項４１に記載のカメラレンズモジュール。
【請求項４４】
前記開口部材の前記光学レンズモジュールに関する前記相対位置が少なくとも１つの方向に調整可能である、請求項４２に記載のカメラレンズモジュール。
【請求項４５】
前記レンズ組立体が、接着要素によって半凝固状態で事前組立される、請求項３５〜請求項４４の１項に記載のカメラレンズモジュール。
【請求項４６】
前記接着要素が、ＵＶ曝露下で前記半凝固状態で形成され、熱処理後に凝固されて前記レンズ組立体の前記組立位置を固定する、請求項４５に記載のカメラレンズモジュール。
【請求項４７】
固定焦点カメラレンズモジュールであり、前記画像センサーは、色フィルタと、レンズ基部と、感光性チップと、制御回路基板とを含み、前記感光性チップは、前記制御回路基板の上部に連結されて、前記色フィルタおよび前記感光性チップは、前記レンズ基部上に取り付けられ、少なくとも１つの前記光学レンズモジュールは前記レンズ基部上で事前組立される、請求項３５〜請求項４４の１項に記載のカメラレンズモジュール。
【請求項４８】
自動焦点カメラレンズモジュールであり、ドライバーをさらに備え、前記画像センサーは、色フィルタと、感光性チップと、制御回路基板とを含み、前記感光性チップは、前記制御回路基板の上部に連結されて、前記色フィルタおよび前記感光性チップは、前記レンズ基部内に取り付けられ、前記ドライバーは前記鏡筒セット上に取り付けられる、請求項３５〜請求項４４の１項に記載のカメラレンズモジュール。
【請求項４９】
事前組立状態の間、前記レンズ組立体の前記組立位置を較正ソフトウェアによって決定するために、前記レンズ組立体が帯電されて画像を捕捉し、それにより、前記レンズ組立体を正確に調整する、請求項４６に記載のカメラレンズモジュール。
【請求項５０】
事前組立状態の間、前記レンズ組立体の前記組立位置を較正ソフトウェアによって決定するために、前記レンズ組立体が帯電されて画像を捕捉し、それにより、前記レンズ組立体を正確に調整する、請求項４７に記載のカメラレンズモジュール。
【請求項５１】
事前組立状態の間、前記レンズ組立体の前記組立位置を較正ソフトウェアによって決定するために、前記レンズ組立体が帯電されて画像を捕捉し、それにより、前記レンズ組立体を正確に調整する、請求項４８に記載のカメラレンズモジュール。
【請求項５２】
少なくとも２つの光学レンズを含む光学レンズセットと、
少なくとも２つの鏡筒を含む鏡筒セットであって、前記光学レンズの少なくとも１つが、前記鏡筒の１つ内に対応して設置され、前記光学レンズがそれぞれ前記鏡筒内に設置される場合に、少なくとも２つの光学レンズモジュールが形成され、前記光学レンズモジュールの組立位置が相互に調整可能である間に、隣接した位置にある前記光学レンズモジュールが事前組立される、鏡筒セットと
を備える、カメラレンズモジュール。
【請求項５３】
前記レンズ組立体は、前記光学レンズモジュールの上部の最も遠い位置に提供された開口部材をさらに含み、前記開口部材の組立位置が前記光学レンズモジュールに関して調整可能である、請求項５２に記載のカメラレンズモジュール。
【請求項５４】
前記光学レンズの少なくとも１つが、前記鏡筒の少なくとも１つ内で事前組立されて、そのため、前記光学レンズの前記組立位置が前記鏡筒内部で調整可能である、請求項５２に記載のカメラレンズモジュール。
【請求項５５】
前記光学レンズの少なくとも１つが、前記鏡筒の少なくとも１つ内で事前組立されて、そのため、前記光学レンズの前記組立位置が前記鏡筒内部で調整可能である、請求項５３に記載のカメラレンズモジュール。
【請求項５６】
前記鏡筒セットは、その内部を外側と連絡するために、前記鏡筒の筒壁内に提供された少なくとも１つの較正チャネルをさらに含み、前記較正チャネルは、前記鏡筒内で事前組立された前記光学レンズまで位置合わせされて延出し、そのため、前記鏡筒内での前記光学レンズの前記組立位置が前記較正チャネルを通して調整される、請求項５４に記載のカメラレンズモジュール。
【請求項５７】
前記鏡筒セットは、その内部を外側と連絡するために、前記鏡筒の筒壁内に提供された少なくとも１つの較正チャネルをさらに含み、前記較正チャネルは、前記鏡筒内で事前組立された前記光学レンズまで位置合わせされて延出し、そのため、前記鏡筒内での前記光学レンズの前記組立位置が前記較正チャネルを通して調整される、請求項５５に記載のカメラレンズモジュール。
【請求項５８】
前記開口部材、前記光学レンズ、および前記光学レンズモジュールが、接着要素によって半凝固状態で事前組立される、請求項５５〜請求項５７の１項に記載のカメラレンズモジュール。
【請求項５９】
前記接着要素が、ＵＶ曝露下で前記半凝固状態で形成され、熱処理後に凝固されて前記レンズ組立体の前記組立位置を固定する、請求項５８に記載のカメラレンズモジュール。
【請求項６０】
前記光学レンズの前記組立位置が、前記鏡筒セット内で少なくとも１つの方向に選択的に調整される、請求項５８に記載のカメラレンズモジュール。
【請求項６１】
前記光学レンズの前記組立位置が、前記鏡筒セットの上部で少なくとも１つの方向に選択的に調整される、請求項５８に記載のカメラレンズモジュール。
【請求項６２】
前記光学レンズモジュールの少なくとも１つの前記組立位置が、前記カメラレンズモジュールの６つの軸Ｘ、Ｙ、Ｚ、Ｕ、Ｖ、Ｗで調整可能である、請求項５２〜請求項５７の１項に記載のカメラレンズモジュール。
【請求項６３】
前記鏡筒セットが、少なくとも１つの位置決めユニットを備え、前記光学レンズの少なくとも１つが前記位置決めユニットによって支持される、請求項６２に記載のカメラレンズモジュール。
【請求項６４】
前記位置決めユニットが、前記鏡筒の内側筒壁から半径方向内向きに突き出た突起部を備える、請求項６３に記載のカメラレンズモジュール。
【請求項６５】
カメラレンズモジュールを組み立てる方法であって、
（Ａ）較正すべき光学要素を事前組立状態で事前組立することと、
（Ｂ）画像信号を前記光学要素を通して取得することと、
（Ｃ）前記光学要素の較正パラメータを含む較正測定を較正ソフトウェアによって決定することと、
（Ｄ）前記光学要素の相対組立位置を前記較正測定に応答して調整することと、
（Ｅ）前記光学要素の相対組立位置が前記カメラレンズモジュールの獲得される分解能を得るように調整される、前記較正の結果が、前記獲得される分解能を満足する場合、ステップ（Ｆ）を実行し、そうでなければ、前記較正の前記結果が前記所望の分解能を満足できない場合、ステップ（Ｂ）〜（Ｄ）を繰り返すことと、
（Ｆ）前記光学要素を画像センサーと永久的に固定して、前記カメラレンズモジュールを形成することと
のステップを含む、方法。
【請求項６６】
前記ステップ（Ａ）で、較正すべき前記光学要素が、鏡筒内に固定された光学レンズを含む少なくとも１つの光学レンズモジュール含み、前記光学レンズモジュールの組立位置が前記画像センサーに関して調整可能である間に、前記光学レンズモジュールが、前記画像センサーの感光経路に沿って事前組立される、請求項６５に記載の方法。
【請求項６７】
前記ステップ（Ａ）で、較正すべき前記光学要素が、１つ以上の光学レンズおよび１つ以上の光学レンズモジュールを含み、前記光学レンズが前記光学レンズモジュール内で事前組立され、前記光学レンズモジュールの組立位置が前記画像センサーに関して調整可能である間に、前記光学レンズモジュールが、前記画像センサーの感光経路に沿って相互に事前組立される、請求項６５に記載の方法。
【請求項６８】
前記ステップ（Ａ）で、較正すべき前記光学要素が、その位置が組立プロセス中に較正される、少なくとも２つの光学レンズモジュールを含み、前記光学要素が、前記カメラレンズモジュールの最も外側において前記光学レンズモジュールの上部で事前組立される開口部材をさらに含み、前記開口部材の組立位置が前記光学レンズモジュールの前記相対位置に関して調整可能である、請求項６６に記載の方法。
【請求項６９】
前記ステップ（Ａ）で、較正すべき前記光学要素が、その位置が組立プロセス中に較正される、少なくとも２つの光学レンズモジュールを含み、前記光学要素が、前記カメラレンズモジュールの最も外側において前記光学レンズモジュールの上部で事前組立される開口部材をさらに含み、前記開口部材の組立位置が前記光学レンズモジュールの前記相対位置に関して調整可能である、請求項６７に記載の方法。
【請求項７０】
前記ステップ（Ａ）で、前記光学要素が、接着要素によって半凝固状態で事前組立され、前記接着要素は、ＵＶ曝露下で前記半凝固状態で形成され、熱処理後に凝固されて、ステップ（Ｆ）で前記光学要素の前記組立位置を固定する、請求項６５〜請求項６９の１項に記載の方法。
【請求項７１】
前記ステップ（Ａ）で、前記カメラレンズモジュールが、その組立許容差を許容範囲の偏差内にとどめる必要がある複数の組み立てられた光学要素をさらに含む、請求項７０に記載の方法。
【請求項７２】
前記ステップ（Ｂ）で、前記事前組立状態の前記カメラレンズモジュールは、前記カメラレンズモジュールの画像を収集するために帯電され、前記カメラレンズモジュールの前記画像収集が、ＭＴＦ（変調伝達関数）検査対象の捕捉に基づき、画像品質がＭＴＦ値によって決定され、より高いＭＴＦ値はより高い画像品質を指し、複数のＭＴＦ値が、前記カメラレンズモジュールから収集されたあらゆる画像に対して決定されて、所定の閾値と比較され、前記ＭＴＦ値が前記所定の閾値よりも大きいか、または等しい場合、前記収集および較正が完了し、前記ＭＴＦ値が前記所定の閾値よりも小さい場合、さらなる較正のために前記画像収集が繰り返される、請求項６５〜請求項６９の１項に記載の方法。
【請求項７３】
前記ステップ（Ｂ）で、前記事前組立状態の前記カメラレンズモジュールは、前記カメラレンズモジュールの画像を収集するために帯電され、前記カメラレンズモジュールの前記画像収集が、ＭＴＦ（変調伝達関数）検査対象の捕捉に基づき、画像品質がＭＴＦ値によって決定され、より高いＭＴＦ値はより高い画像品質を指し、複数のＭＴＦ値が、前記カメラレンズモジュールから収集されたあらゆる画像に対して決定されて、所定の閾値と比較され、前記ＭＴＦ値が前記所定の閾値よりも大きいか、または等しい場合、前記収集および較正が完了し、前記ＭＴＦ値が前記所定の閾値よりも小さい場合、さらなる較正のために前記画像収集が繰り返される、請求項７０に記載の方法。
【請求項７４】
各画像取得プロセス中、前記後続の較正プロセスを容易にするために前記画像取得の精度および一貫性を確実にするため、前記カメラレンズモジュールは、前記ＭＴＦ検査対象と前記カメラレンズモジュールとの間の捕捉距離および光源パラメータを含む所定の環境パラメータ下で各画像を捕捉するために厳密に制御される必要がある、請求項７２に記載の方法。
【請求項７５】
画像収集の前記収集プロセス中、前記ＭＴＦ値に対して、前記カメラレンズモジュールは、前記画像取得プロセス中に、黒いスポット、歪み、および／または陰を取り除くために監視される、請求項７４に記載の方法。
【請求項７６】
前記ステップ（Ｃ）で、較正すべき前記光学要素の前記組立位置の前記較正に使用される前記ソフトウェアが、光学レンズ構成要素の光感度に基づく調査に対して適合され、前記光学レンズ構成要素の組立位置の前記較正値の計算方法のために使用される前記ソフトウェアは：（１）前記較正の前に、ＭＴＦ値、光偏心測定、光軸傾斜角度、および像面湾曲を含む、前記カメラレンズモジュールの光学特性を測定することと、（２）較正すべき前記光学要素の前記組立位置に対応する前記光偏心測定、光軸傾斜角度、および像面湾曲の感度に応答して較正すべき前記光学要素の前記組立位置の要求される較正値を計算することとのステップを含む、請求項６５〜請求項６９の１項に記載の方法。
【請求項７７】
前記ステップ（Ｃ）で、較正すべき前記光学要素の前記組立位置の前記較正に使用される前記ソフトウェアが、光学レンズ構成要素の光感度に基づく調査に対して適合され、前記光学レンズ構成要素の組立位置の前記較正値の計算方法のために使用される前記ソフトウェアは：（１）前記較正の前に、ＭＴＦ値、光偏心測定、光軸傾斜角度、および像面湾曲を含む、前記カメラレンズモジュールの光学特性を測定することと、（２）較正すべき前記光学要素の前記組立位置に対応する前記光偏心測定、光軸傾斜角度、および像面湾曲の感度に応答して較正すべき前記光学要素の前記組立位置の要求される較正値を計算することとのステップを含む、請求項７２に記載の方法。
【請求項７８】
前記ステップ（Ｄ）で、前記カメラレンズモジュールの前記相対位置に関して較正すべき前記光学要素の前記組立位置が少なくとも１つの方向に調整可能である、請求項７２に記載の方法。
【発明の詳細な説明】
【技術分野】
【０００１】
関連出願の相互参照
これは、国際出願番号ＰＣＴ/ＣＮ２０１６/１０７８８６、国際出願日２０１６年１１月３０日に対する優先権を主張する非仮出願であり、その各々の内容全体が参照により本明細書に明示的に組み込まれる。
【０００２】
著作権表示
本特許文書の開示の一部は、著作権保護の対象である材料を含む。著作権の所有者は、それが米国特許商標局の特許ファイルまたはレコードに出現するとおり、特許開示の誰かによるいかなる複製にも異存はないが、そうでなければ、何であれ全ての著作権を留保する。
【背景技術】
【０００３】
発明の分野
本発明は写真用カメラに関し、より詳細にはカメラレンズモジュールおよびその製造方法に関する。
【０００４】
関連技術の説明
モバイル通信技術の急速な発展に伴って、カメラモジュールは、スマートフォン、ポータブルコンピュータ、タブレットコンピュータ、テレビ、車両監視システム、および見張りシステムなどの、電子装置に対して標準装備となっている。それに応じて、カメラモジュールは、製造歩留まりおよび効率をどのように改善するか、費用をどのように削減するか、また、画像捕捉品質をどのように改善するかという主要な関心事に向けて急速に開発されている。既存のカメラモジュールは、一般に、回路基板、光センサーチップ、レンズ基部、ドライバーユニット、レンズ、一緒に組み立てられている他の主要な構成要素を含み、カメラモジュールの分解能は、回路基板、光センサーチップ、レンズとドライバーユニット、構成要素の構造的配置の許容差、および構成要素の組立構成の許容差による画像品質制御を通して達成できる。
【０００５】
カメラモジュールの全ての主要な構成要素の中で、画像解像度に影響を及ぼす最も重要な要因は、カメラレンズである。通常の状況では、カメラモジュールは、個々のレンズ組立体内に１つ以上のレンズを含むように構成される。具体的には、カメラレンズは、その中で複数のレンズを支持して、それらに暗環境を提供する鏡筒を含み、レンズを相関的にリンクするために２つ以上の鏡筒が一緒に組み立てられて統合光学系を形成する。次いで、光学系がレンズ基部またはドライバーユニットに組み付けられる。組立プロセスを通して、組立誤差により、レンズが光センサーチップと偏心して、または傾斜して位置合わせされ得、それにより、カメラモジュールの分解能が低下する。さらに、その光学能力に関連する各レンズの許容差および鏡筒に取り付けられる各レンズの許容差を、従来型の組立プロセスの考慮に入れるべきである。たとえ各レンズの品質が保証できて、各レンズが鏡筒に正確に取り付けることができていても、鏡筒を一緒に組み立てる許容差も従来型の組立プロセスの考慮に入れるであろう。それは、一旦、鏡筒が組み立てられると、レンズ組立体の組立許容差は補正できないからである。言い換えれば、これらの許容差は、レンズ組立体の光学的品質を低下させて、レンズ組立体の生産性および画像品質に影響を及ぼすであろう。従って、その画像品質を確実にするためにレンズ組立体の既存の組立プロセスの改善に対する需要がある。
【発明の概要】
【課題を解決するための手段】
【０００６】
本発明は、１つ以上の光学レンズモジュールを備えたカメラレンズモジュールおよびその製造方法を提供する点において好都合であり、組立プロセス中に従来型のカメラレンズモジュールの欠点を取り除くことができる。カメラレンズモジュールの画像品質を確実にするために、組立プロセスおよび較正プロセスが製造プロセスに統合できる。
【０００７】
本発明の別の利点は、１つ以上の光学レンズモジュールを備えたカメラレンズモジュールおよびその製造方法を提供することであり、カメラレンズモジュールの組立ステップを単純にするため、カメラレンズモジュールの生産性効率を高度に高めるため、およびカメラレンズモジュールの製造コストを削減するために、位置調整および較正が、カメラレンズの最終組立ての前に完了される。
【０００８】
本発明の別の利点は、１つ以上の光学レンズモジュールを備えたカメラレンズモジュールおよびその製造方法を提供することであり、鏡筒の相対位置を調整するために、カメラレンズモジュールの較正がその画像品質に基づき、それにより、カメラレンズモジュールのより高い製造歩留まりを確実にする。
【０００９】
本発明の別の利点は、１つ以上の光学レンズモジュールを備えたカメラレンズモジュールおよびその製造方法を提供することであり、カメラレンズモジュールは、各々が鏡筒内で支持された少なくとも１つの光学レンズを含む、複数の光学レンズモジュールを含む。各光学レンズモジュールの相対位置は、光学レンズモジュールの補正された位置合わせを確実にするように調整可能であり、それにより、カメラレンズモジュールの光学的品質を確実にする。
【００１０】
本発明の別の利点は、カメラレンズモジュールおよびその製造方法を提供することであり、１つ以上の光学レンズモジュールを備えたカメラレンズモジュールの較正は、カメラレンズモジュールの避けられない許容差を補正するように光学レンズモジュールの相対位置を調整することであり、それにより、カメラレンズモジュールの光学的欠点を最小限にして、高い費用効率でありながら製造効率を高める。
【００１１】
本発明の別の利点は、１つ以上の光学レンズモジュールを備えたカメラレンズモジュールおよびその製造方法を提供することであり、一旦、その較正が完了すると、光学レンズモジュールの相対位置が永久的に固定され、高い費用効率でありながら、カメラレンズモジュールの組立てステップを最小限にする。
【００１２】
本発明の別の利点は、１つ以上の光学レンズモジュールを備えたカメラレンズモジュールおよびその製造方法を提供することであり、カメラレンズモジュールの構造的配置がその全体的なサイズを削減するためにコンパクトである。
【００１３】
本発明の別の利点は、１つ以上の光学レンズモジュールを備えたカメラレンズモジュールおよびその製造方法を提供することであり、光学レンズモジュールの相対位置が、その６つもの軸Ｘ、Ｙ、Ｚ、Ｕ、Ｖ、Ｗに関して調整可能である。
【００１４】
本発明の別の利点は、１つ以上の光学レンズモジュールを備えたカメラレンズモジュールおよびその製造方法を提供することであり、較正すべき各光学要素が、較正プロセスを促進するため、ならびに画像品質およびカメラレンズモジュールの正確な組立を確実にするために、異なる方向に選択的に調整できる。
【００１５】
本発明の別の利点は、１つ以上の光学レンズモジュールを備えたカメラレンズモジュールおよびその製造方法を提供することであり、それは、カメラレンズモジュールの従来の組立方法を通して既存の組立許容差を最小限にでき、それにより、従来の組立方法に起因したカメラレンズモジュールの欠点を低減する。
【００１６】
本発明の別の利点は、１つ以上の光学レンズモジュールを備えたカメラレンズモジュールおよびその製造方法を提供することであり、光学レンズモジュールの少なくとも１つの相対位置が、カメラレンズモジュールの画像品質を確実にするために調整可能である。
【００１７】
本発明の別の利点は、１つ以上の光学レンズモジュールを備えたカメラレンズモジュールおよびその製造方法を提供することであり、較正すべき光学要素の相対位置が固定される前に、較正すべき各光学要素が、カメラレンズモジュールの獲得される画像品質を達成するために較正されて調整される。
【００１８】
本発明の別の利点は、１つ以上の光学レンズモジュールを備えたカメラレンズモジュールおよびその製造方法を提供することであり、較正プロセスは、光学レンズの相対位置、光学レンズモジュールの相対位置、および開口部材の相対位置を調整するために適用できる。従って、較正プロセスは、カメラレンズモジュールの画像品質を確実にするために、較正を目的として光学要素と、異なる光学要素を任意に組合わせて、選択的に適用できる。
【００１９】
本発明の追加の利点および特徴は、以下の記述から明らかになり、添付のクレームで個別に指摘する手段および組合せによって実現され得る。
【００２０】
本発明によれば、前述および他の目的および利点は、カメラレンズモジュールによって達成され、カメラレンズモジュールは、
【００２１】
画像センサーと、
【００２２】
第１の光学レンズモジュール、第２の光学レンズモジュール、および第３の光学レンズモジュールを含むレンズ組立体と
を備え；
【００２３】
第１の光学レンズモジュールは、第１の光学レンズ、第２の光学レンズ、および第１の鏡筒を含み、第１の光学レンズおよび第２の光学レンズは、第１の鏡筒内に間隔を置いて支持されており、第２の光学レンズモジュールは、第３の光学レンズおよび第２の鏡筒を含み、第３の光学レンズは、第２の鏡筒内で支持されており、第３の光学レンズモジュールは、第４の光学レンズ、第５の光学レンズ、および第３の鏡筒を含み、第４の光学レンズおよび第５の光学レンズは、第３の鏡筒内に間隔を置いて支持されており；
【００２４】
第１の光学レンズモジュール、第２の光学レンズモジュール、および第３の光学レンズモジュールは、カメラレンズモジュールの高さ方向に応答して位置調整方式で、画像センサー上に順序正しく事前組立され、第１の光学レンズモジュール、第２の光学レンズモジュール、および第３の光学レンズモジュールの各々の組立位置が、較正のために画像センサーの位置に関して調整可能であり、そのため、第１の光学レンズモジュール、第２の光学レンズモジュール、および第３の光学レンズモジュールは、画像センサーの感光経路と一致するように調整され、それにより、カメラレンズモジュールの画像品質を向上させる。
【００２５】
本発明の別の態様によれば、本発明は、モジュール化されたカメラレンズモジュールを含み、本カメラレンズモジュールは、
【００２６】
画像センサーと、
【００２７】
第１の光学レンズモジュール、第２の光学レンズモジュール、および第３の光学レンズモジュールを含むレンズ組立体と
を備え；
【００２８】
第１の光学レンズモジュールは、第１の光学レンズおよび第１の鏡筒を含み、第１の光学レンズは、第１の鏡筒内で支持されており、第２の光学レンズモジュールは、第２の光学レンズおよび第２の鏡筒を含み、第２の光学レンズは、第２の鏡筒内で支持されており、第３の光学レンズモジュールは、第３の光学レンズおよび第３の鏡筒を含み、第３の光学レンズは、第３の鏡筒内で支持されており；
【００２９】
第３の光学レンズモジュールは、画像センサー上に無調整式に固定されており、第１の光学レンズモジュールおよび第２の光学レンズモジュールは、カメラレンズモジュールの高さ方向に応答して位置調整方式で、第３の光学レンズモジュール上に順序正しく事前組立されており、第１の光学レンズモジュールおよび第２の光学レンズモジュールの各々の組立位置が、較正のために画像センサーの位置に関して調整可能であり、そのため、第１の光学レンズモジュール、第２の光学レンズモジュール、および第３の光学レンズモジュールは、画像センサーの感光経路と一致するように調整され、それにより、カメラレンズモジュールの画像品質を向上させる。
【００３０】
本発明の別の態様によれば、本発明は、モジュール化されたカメラレンズモジュールを含み、本カメラレンズモジュールは、
【００３１】
画像センサーと、
【００３２】
第１の光学レンズモジュール、第２の光学レンズモジュール、および第３の光学レンズモジュールを含むレンズ組立体と
を備え；
【００３３】
第１の光学レンズモジュールは、第１の光学レンズおよび第１の鏡筒を含み、第１の光学レンズは、第１の鏡筒内で支持されており、第２の光学レンズモジュールは、第２の光学レンズおよび第２の鏡筒を含み、第２の光学レンズは、第２の鏡筒内で支持されており、第３の光学レンズモジュールは、第３の光学レンズ、第４の光学レンズ、および第３の鏡筒を含み、第３の光学レンズおよび第４の光学レンズは、第３の鏡筒内に間隔を置いて支持されており；
【００３４】
第１の光学レンズモジュールおよび第２の光学レンズモジュールは、カメラレンズモジュールの高さ方向に応答して位置調整方式で、第３の光学レンズモジュール上に順序正しく事前組立されており、第１の光学レンズモジュールおよび第２の光学レンズモジュールの各々の組立位置が、較正のために画像センサーの位置に関して調整可能であり、そのため、第１の光学レンズモジュール、第２の光学レンズモジュール、および第３の光学レンズモジュールは、画像センサーの感光経路と一致するように調整され、それにより、カメラレンズモジュールの画像品質を向上させ；
【００３５】
第１の鏡筒は、第１の鏡筒の内部と外側とを連絡する少なくとも１つの較正チャネルを有し、較正チャネルは、第１の光学レンズまで位置合わせされて延出し、そのため、第１の鏡筒内の第１の光学レンズの組立位置が較正チャネルを通して調整可能である。
【００３６】
本発明の別の態様によれば、本発明は、モジュール化されたカメラレンズモジュールを含み、本カメラレンズモジュールは、
【００３７】
画像センサーと、
【００３８】
第１の光学レンズモジュール、第２の光学レンズモジュール、および第３の光学レンズモジュールを含むレンズ組立体と
を備え；
【００３９】
第１の光学レンズモジュールは、第１の光学レンズおよび第１の鏡筒を含み、第１の光学レンズは、第１の鏡筒内で支持されており、第２の光学レンズモジュールは、第２の光学レンズおよび第２の鏡筒を含み、第２の光学レンズは、第２の鏡筒内で支持されており、第３の光学レンズモジュールは、第３の光学レンズおよび第３の鏡筒を含み、第３の光学レンズは、第３の鏡筒内で支持されており；
【００４０】
第３の光学レンズモジュールは、画像センサー上に無調整式に固定されており、第１の光学レンズモジュールおよび第２の光学レンズモジュールは、カメラレンズモジュールの高さ方向に応答して位置調整方式で、第３の光学レンズモジュール上に順序正しく事前組立されており、第１の光学レンズモジュールおよび第２の光学レンズモジュールの各々の組立位置が、較正のために画像センサーの位置に関して調整可能であり、そのため、第１の光学レンズモジュール、第２の光学レンズモジュール、および第３の光学レンズモジュールは、画像センサーの感光経路と一致するように調整され、それにより、カメラレンズモジュールの画像品質を向上させ；
【００４１】
第３の鏡筒は、第３の鏡筒の内部と外側とを連絡する少なくとも１つの較正チャネルを有し、較正チャネルは、第３の光学レンズまで位置合わせされて延出し、そのため、第３の鏡筒内の第３の光学レンズの組立位置が較正チャネルを通して調整可能である。
【００４２】
本発明の別の態様によれば、本発明は、モジュール化されたカメラレンズモジュールを含み、本カメラレンズモジュールは、
【００４３】
画像センサーと、
【００４４】
画像センサーの感光経路と一致するように、所定の位置で事前組立された少なくとも２つの光学レンズモジュールを含み、光学レンズモジュールの少なくとも１つの組立位置が画像センサーの感光経路と一致するように調整可能である、レンズ組立体とを備える。
【００４５】
本発明の別の態様によれば、本発明は、光学レンズセット、鏡筒セット、および開口部材を含む、レンズ組立体を含み、光学レンズセットは、少なくとも１つの光学レンズを含み、鏡筒セットは、少なくとも１つの鏡筒を含み、光学レンズは、その高さ方向に沿って鏡筒内で支持されて、光学レンズモジュールの少なくとも１つを形成する。
【００４６】
一実施形態では、光学レンズモジュールの相対位置が、カメラレンズモジュールの６つもの軸Ｘ、Ｙ、Ｚ、Ｕ、Ｖ、Ｗに関して調整可能である。
【００４７】
一実施形態では、事前組立されたレンズの組立位置が画像センサーの位置に関して調整可能であるように配置されている間に、光学レンズモジュールのレンズの少なくとも１つが、それぞれの鏡筒内で事前組立される。
【００４８】
具体的には、鏡筒内での光学レンズの組立位置を少なくとも１つの方向に選択的に調整するために、光学レンズが鏡筒内で移動可能に配置される。
【００４９】
一実施形態では、較正チャネルが、その内部を外側と連絡する鏡筒の筒壁で形成されて、鏡筒内で事前組立された光学レンズに関して位置合わせされ、そのため、鏡筒内での光学レンズの組立位置が較正チャネルを通して調整できる。
【００５０】
一実施形態では、開口部材が光学レンズモジュールの上部で連結されて、開口部材の相対位置が光学レンズモジュールに関して調整可能である。
【００５１】
一実施形態では、開口部材の相対位置が光学レンズモジュールに関して少なくとも１つの方向に調整可能である。
【００５２】
一実施形態では、較正すべき光学要素が、接着要素によって事前組立される。
【００５３】
一実施形態では、接着要素は、熱硬化性接着剤と混合されたＵＶ接着剤を含有する混合接着剤にでき、混合接着剤は、ＵＶ曝露下で半凝固状態であり、乾燥機内など、熱処理後に凝固される。従って、一旦、接着要素が凝固されると、較正すべき光学要素の相対位置が永久的に所定の位置に固定される。
【００５４】
一実施形態では、画像センサーは、色フィルタ、レンズ基部、感光性チップおよび制御回路基板を含み、感光性チップは、制御回路基板の上部に動作可能に連結され、同時に、色フィルタおよび感光性チップは、レンズ基部で連結される。光学レンズモジュールは、光学レンズモジュールの相対位置がレンズ基部に関して調整可能であるように、レンズ基部に連結される。
【００５５】
一実施形態では、カメラレンズモジュールは、ドライバーユニットを含めるためにズームカメラレンズモジュールにできる。画像センサーは、色フィルタ、感光性チップおよび制御回路基板を含み、感光性チップは、制御回路基板の上部に動作可能に連結され、同時に、色フィルタおよび感光性チップが、鏡筒で連結される。ドライバーユニットは、鏡筒に動作可能に連結される。
【００５６】
一実施形態では、カメラレンズモジュールは、画像取得のために、事前組立プロセス中に帯電され、光学レンズモジュールの較正パラメータなどの較正測定が、光学レンズモジュールの正確な位置を確実にするために、較正ソフトウェアを通して決定される。
【００５７】
本発明の別の態様によれば、本発明は、レンズ組立体を提供し、本レンズ組立体は、
【００５８】
少なくとも２つの光学レンズを含む光学レンズセットと、
【００５９】
少なくとも２つの鏡筒を含む鏡筒セットとを含み、２つの光学レンズの少なくとも１つが、光学鏡筒の１つ内に対応して設置され、光学レンズの全てがそれぞれ鏡筒内に設置されると、少なくとも２つの光学レンズモジュールが形成され、光学レンズモジュール間の組立位置が調整可能である間に、隣接した光学レンズモジュールが事前組立される。
【００６０】
一実施形態では、レンズ組立体は、光学レンズモジュール上の最も遠い位置に提供された開口部材をさらに含み、開口部材の組立位置が光学レンズモジュールの位置に関して調整可能である。
【００６１】
一実施形態では、事前組立された光学レンズの組立位置がそれぞれの鏡筒内部に調整可能に配置されるような方法で、光学レンズの少なくとも１つが鏡筒の少なくとも１つ内に設置される。
【００６２】
一実施形態では、それぞれの事前組立された光学レンズを受け入れる鏡筒は、その内部を外側と連絡するために、鏡筒の筒壁内に提供される少なくとも１つの較正チャネルを有し、較正チャネルは、鏡筒内で事前組立された光学レンズに関して位置合わせされ、そのため、鏡筒内での光学レンズの組立位置が較正チャネルを通して調整できる。
【００６３】
一実施形態では、開口部材、光学レンズおよび光学レンズモジュールが、接着要素によって半凝固した方法で事前組立される。
【００６４】
一実施形態では、事前組立のための接着要素が、熱硬化性接着剤と混合されたＵＶ接着剤を含有する混合接着剤にでき、混合接着剤は、ＵＶ曝露下で半凝固状態であり、熱処理後に凝固される。従って、一旦、接着要素が凝固されると、カメラレンズモジュール全体が永久的に所定の位置に固定される。
【００６５】
一実施形態では、光学レンズモジュール内の光学レンズの組立位置が少なくとも１つの方向に調整されるように配置される。
【００６６】
一実施形態では、開口部材の組立位置が鏡筒の上部に関して、少なくとも１つの方向に調整されるように配置される。
【００６７】
一実施形態では、レンズ組立体がカメラレンズモジュール内に設置されるとき、光学レンズモジュールの相対位置が、カメラレンズモジュールの６つもの軸Ｘ、Ｙ、Ｚ、Ｕ、Ｖ、Ｗに関して調整可能である。
【００６８】
一実施形態では、鏡筒は、少なくとも１つの光学レンズを支持するために、その中で較正すべき少なくとも１つの光学要素を提供する。
【００６９】
一実施形態では、較正すべき光学要素が、鏡筒の内側筒壁から半径方向内向きに延出する突起部によって形成される。
【００７０】
それに応じて、本発明は、カメラレンズモジュールを組み立てる方法をさらに提供し、本方法は、以下のステップを含む。
【００７１】
（Ａ）較正すべき光学要素を事前組立して、カメラレンズモジュールを事前組立状態で形成する。
【００７２】
（Ｂ）レンズ組立体の光学レンズモジュールを通して画像信号を取得する。
【００７３】
（Ｃ）レンズ組立体の光学レンズモジュールの較正パラメータを含む較正測定を較正ソフトウェアによって決定する。
【００７４】
（Ｄ）レンズ組立体の光学レンズモジュールの相対組立位置を較正測定に応答して調整する。
【００７５】
（Ｅ）レンズ組立体の光学レンズモジュールの相対組立位置がカメラレンズモジュールの獲得される分解能を得るように調整されるなど、較正の結果が獲得される分解能を満足する場合、ステップ（Ｆ）を実行するか、または較正の結果が所望の分解能を満足できない場合、ステップ（Ｂ）〜（Ｄ）を繰り返す。
【００７６】
（Ｆ）レンズ組立体の光学レンズモジュールを画像センサーと永久的に固定するために混合接着剤を凝固させるなど、カメラレンズモジュールを永久的に固定して、カメラレンズモジュールを形成する。
【００７７】
一実施形態では、ステップ（Ａ）で、較正すべき光学要素は、一般に、少なくとも１つの光学レンズおよび少なくとも１つの鏡筒を含む少なくとも１つの光学レンズモジュール含み、事前組立された光学レンズモジュールの組立位置が画像センサーに関して調整されるように配置されている間に、事前組立された光学レンズモジュールの少なくとも１つが、画像センサーの感光経路に沿って事前組立される。
【００７８】
一実施形態では、ステップ（Ａ）で、較正すべき光学要素は、組立プロセス中にその位置が較正される少なくとも２つの光学レンズモジュールを含み、較正すべき光学要素は、カメラレンズモジュールの最も外側において光学レンズモジュールの上部で事前組立される１つの開口部材を含み、かつ、開口部材の組立位置が光学レンズモジュールの相対位置に関して調整されるように適合される。
【００７９】
一実施形態では、ステップ（Ａ）で、較正すべき全ての光学要素が、熱硬化性接着剤と混合されたＵＶ接着剤などの接着要素によって事前組立され、混合接着剤は、事前組立のために、ＵＶ曝露下で半凝固状態である。較正すべき光学要素の較正後、ステップ（Ｆ）で、混合接着剤が熱処理後に凝固され、それにより、カメラレンズモジュール全体を永久的に固定する。
【００８０】
一実施形態では、ステップ（Ａ）で、カメラレンズモジュールは、その組立許容差を許容範囲の偏差内にとどめる必要がある複数の組み立てられた光学要素をさらに含む。
【００８１】
一実施形態では、ステップ（Ｂ）で、事前組立されたカメラレンズモジュールは、カメラレンズモジュールの画像を収集するために帯電され、カメラレンズモジュールの画像収集は、ＭＴＦ（変調伝達関数）検査対象の捕捉に基づき、画像品質はＭＴＦ値によって決定され、より高いＭＴＦ値はより高い画像品質を指す。複数のＭＴＦ値が、カメラレンズモジュールから収集されたあらゆる画像に対して決定されて、所定の閾値と比較される。ＭＴＦ値が所定の閾値よりも大きいか、または等しい場合、収集および較正が完了する。ＭＴＦ値が所定の閾値よりも小さい場合、さらなる較正のために画像収集が繰り返される。
【００８２】
各画像取得プロセス中、後続の較正プロセスを容易にするために画像取得の精度および一貫性を確実にするため、カメラレンズモジュールは、ＭＴＦ検査対象とカメラレンズモジュールとの間の捕捉距離および光源パラメータを含む所定の環境パラメータ下で、各画像を捕捉するために厳密に制御される必要がある。
【００８３】
画像収集の収集プロセス中、ＭＴＦ値に対して、カメラレンズモジュールは、画像取得プロセス中に、黒いスポット、歪み、および／または陰（ｓｈａｄｅ）を取り除くために監視されるべきである。
【００８４】
一実施形態では、ステップ（Ｃ）で、較正すべき光学要素の組立位置の較正に使用されるソフトウェアが、光学レンズ構成要素の光感度に基づく調査に対して適合され、光学レンズ構成要素の組立位置の較正値の計算方法のために使用されるソフトウェアは次のステップを含む。（１）較正の前に、ＭＴＦ値、光偏心測定、光軸傾斜角度、および像面湾曲を含む、カメラレンズモジュールの光学特性を測定する；ならびに（２）較正すべき光学要素の組立位置に対応する光偏心測定、光軸傾斜角度、および像面湾曲の感度に応答して、較正すべき光学要素の組立位置の要求される較正値を計算する。
【００８５】
一実施形態では、ステップ（Ｄ）で、較正すべき光学要素の組立位置がカメラレンズモジュールの相対位置に関して少なくとも１つの方向に調整される。
【発明の効果】
【００８６】
なおさらなる目的および利点が後続する記述および図面を検討すると明らかになるであろう。
【００８７】
本発明のこれらおよび他の目的、特徴、および利点は、以下の詳細な記述、添付の図面、および付随のクレームから明らかになるであろう。
【図面の簡単な説明】
【００８８】
【図１】本発明の第１の好ましい実施形態に従った、１つ以上の光学レンズモジュールを備えたカメラレンズモジュールの斜視図である。
【図２】本発明の前述の第１の好ましい実施形態に従った、１つ以上の光学レンズモジュールを備えたカメラレンズモジュールの断面図である。
【図３】本発明の前述の第１の好ましい実施形態に従った、１つ以上の光学レンズモジュールを備えたカメラレンズモジュールの組立方法を示す流れ図である。
【図４】本発明の第２の好ましい実施形態に従った、１つ以上の光学レンズモジュールを備えたカメラレンズモジュールの斜視図である。
【図５】本発明の前述の第２の好ましい実施形態に従った、１つ以上の光学レンズモジュールを備えたカメラレンズモジュールの断面図である。
【図６】本発明の第３の好ましい実施形態に従った、１つ以上の光学レンズモジュールを備えたカメラレンズモジュールの斜視図である。
【図７】本発明の前述の第３の好ましい実施形態に従った、１つ以上の光学レンズモジュールを備えたカメラレンズモジュールの断面図である。
【図８】本発明の前述の第３の好ましい実施形態に従った、１つ以上の光学レンズモジュールを備えたカメラレンズモジュールの組立方法を示す流れ図である。
【図９】本発明の第４の好ましい実施形態に従った、１つ以上の光学レンズモジュールを備えたカメラレンズモジュールの断面図である。
【図１０】本発明の前述の第４の好ましい実施形態に従った、１つ以上の光学レンズモジュールを備えたカメラレンズモジュールの組立方法を示す流れ図である。
【発明を実施するための形態】
【００８９】
以下の記述は、任意の当業者が本発明を製造および使用可能にするために開示される。好ましい実施形態が、以下の記述で例としてのみ提供されており、修正が当業者には明らかであろう。以下の記述で定義される一般的原理は、本発明の精神および範囲から逸脱することなく、他の実施形態、代替、修正、同等物、および用途に適用される。
【００９０】
図面の図１〜図３を参照すると、本発明の第１の好ましい実施形態に従ったカメラレンズモジュールが例示されている。図１〜図３に示すように、スプリットレンズモジュールとして構成されている、カメラレンズモジュールは、レンズ組立体１０および画像センサー２０を備え、レンズ組立体１０は、画像センサー２０の光路に沿って配置され、そのため画像センサー２０はレンズ組立体１０を通して入射光を捕捉することができ、その光を画像信号に変換できる。それに応じて、レンズ組立体１０の相対組立位置が画像センサー２０に関して調整可能である。
【００９１】
好ましい実施形態によれば、画像センサー２０は、色フィルタ２１、レンズ基部２２、感光性チップ２３、および制御回路基板２４を含む。色フィルタ２１は、感光性チップ２３の上方の位置でレンズ基部２２に連結される。言い換えれば、色フィルタ２１は、感光性チップ２３の感光経路に沿って提供される。感光性チップ２３は、制御回路基板２４の上に、好ましくは、接着剤で、動作可能に連結され、制御回路基板２４は、レンズ基部２２の底面で支持される。
【００９２】
それに応じて、中空構造を有するように構成されている、レンズ基部２２は、その上部において、レンズ基部２２の内側囲壁内に窪ませて形成された第１の保持溝２２１、およびその下部において、第１の保持溝２２１と同軸に位置合わせされるように、レンズ基部２２の内側囲壁内に窪ませて形成された第２の保持溝２２２を有する。色フィルタ２１および感光性チップ２３は、それぞれ、第１の保持溝２２１および第２の保持溝２２２によって支持されて、感光性チップ２３は、制御回路基板２４に動作可能に連結され、そのため、感光性チップ２３は、レンズ基部２２を通してレンズ組立体１０からの入射光を捕捉し、その光を画像信号に変換する。言い換えれば、色フィルタ２１は、第１の保持溝２２１に配置され、それにより、色フィルタ２１が感光性チップ２３の感光経路と自動的に位置合わせされる。感光性チップ２３は、そのサイズを拡大するために第２の保持溝２２２までさらに拡大され、そのため、より大きな感光性チップ２３を設置するためにより大きな空間が作り出される。結果として、より大きな感光性チップ２３は、そのより大きな感光領域を提供する。一実施形態では、第１および第２の保持溝２２１、２２２は矩形断面を有する。第１および第２の保持溝２２１、２２２は、画像センサー２０の構造的配置に従って、円形断面などの、異なる断面を有するように修正できることが理解される。
【００９３】
他の実施形態では、第１の保持溝２２１および／または第２の保持溝２２２が省略できることは言及する価値がある。言い換えれば、第１の保持溝２２１および／または第２の保持溝２２２に対していかなる制限もあってはならない。
【００９４】
レンズ基部２２は、単一の一体型本体（ｉｎｔｅｇｒａｔｅｄ  ｂｏｄｙ）を有するために射出成型によって形成でき、第１の保持溝２２１および第２の保持溝２２２は、レンズ基部２２と共に、生得的に（ｉｎｈｅｒｅｎｔｌｙ）形成されるか、または一体的に組み込まれる。次いで、レンズ基部２２は、制御回路基板２４上に取り付けることができる。代替として、レンズ基部２２は、制御回路基板２４と共に一体的に形成するために、制御回路基板２４上に直接射出成形でき、第１の保持溝２２１は、レンズ基部２２と共に、生得的に形成されるか、または一体的に組み込まれる。それに応じて、第２の保持溝２２２は省略される。制御回路基板２４の形状および製造方法は、本発明に従って制限されるべきでない。
【００９５】
レンズ組立体１０は、光学レンズセット１１、鏡筒セット１２、および鏡筒セット１２の上部に連結された開口部材１３を含み、光学レンズセット１１は、開口部材１３の下方の位置で鏡筒セット１２内部に配置されて、感光性チップ２３の感光経路に沿って配置される。鏡筒セット１２は、画像センサー２０で連結され、カメラレンズモジュールの画像品質を確実にするために、鏡筒セット１２の相対組立位置が画像センサー２０に関して調整されるように配置される。
【００９６】
カメラレンズモジュールは、鏡筒セット１２で動作可能に提供されて、レンズ基部２２に連結された、ドライバーユニット３０をさらに含み、ドライバーユニット３０は、鏡筒セット１２の位置的変位を感光性チップ２３の感光経路に沿って選択的に調整するように配置される。一実施形態では、ドライバーユニット３０は、鏡筒セット１２を動かすためにボイスコイルモーターまたは圧電モーターを含む。
【００９７】
好ましい実施形態によれば、光学レンズセット１１は、第１の光学レンズ１１１、第２の光学レンズ１１２、第３の光学レンズ１１３、第４の光学レンズ１１４、および第５の光学レンズ１１５を含み、第１〜第５の光学レンズ１１１〜１１５は、集められる光線の収束または発散のために配置される。鏡筒セット１２は、第１の鏡筒１２１、第２の鏡筒１２２、および第３の鏡筒１２３を含む。
【００９８】
それに応じて、開口部材１３が、第１の光学レンズ１１１の上方の位置に第１の鏡筒１２１の上端で連結され、第１の鏡筒１２１は、第１の位置決めユニット１２１１および第２の位置決めユニット１２１２を含む。第１および第２の位置決めユニット１２１１、１２１２は、第１の鏡筒１２１の内側筒壁から半径方向内向きに延出する。好ましくは、第１および第２の位置決めユニット１２１１、１２１２は、それぞれ、第１の鏡筒１２１の中央部および下部に提供されて、第１および第２の光学レンズ１１１、１１２が、それぞれ、第１および第２の位置決めユニット１２１１、１２１２によって支持され、そのため、第１および第２の光学レンズ１１１、１１２は相互に間隔を置いて、第１の鏡筒１２１内にしっかりと取り付けられる。第１の光学レンズ１１１および第２の光学レンズ１１２は、第１の鏡筒１２１内で支持されて、第１の光学レンズモジュール１０１を形成することは言及する価値がある。好ましい実施形態によれば、第１の光学レンズモジュール１０１は、カメラレンズモジュールの最も外側の位置、すなわち、レンズ組立体１０の一番上であって、画像センサー２０から最も遠い距離に取り付けられ、開口部材１３が第１の光学レンズモジュール１０１の上部で連結される。
【００９９】
第２の鏡筒１２２は、第２の鏡筒１２２の内側筒壁から半径方向内向きに延出する第３の位置決めユニット１２２１を含む。好ましくは、第３の位置決めユニット１２２１は、第２の鏡筒１２２の下部に提供されて、第３の光学レンズ１１３が第３の位置決めユニット１２２１によって支持され、そのため、第３の光学レンズ１１１は第１の鏡筒１２１内にしっかりと取り付けられて第２の光学レンズモジュール１０２を形成する。
【０１００】
第３の鏡筒１２３は、第３の鏡筒１２３の内側筒壁から半径方向内向きに延出する第４の位置決めユニット１２３１を含む。好ましくは、第４の位置決めユニット１２３１は、第３の鏡筒１２３の中央部に提供されて、第４および第５の光学レンズ１１４、１１５が第４の位置決めユニット１２３１によって支持される。具体的には、第４の光学レンズ１１４が第４の位置決めユニット１２３１の上部で支持されて、第５の光学レンズ１１５が第４の位置決めユニット１２３１の下部で支持される。ドライバーユニット３０が第３の鏡筒１２３と動作可能に統合され、そのため、第４および第５の光学レンズ１１４、１１５、第３の鏡筒１２３、およびドライバーユニット３０が一緒に組み立てられて、第３の光学レンズモジュール１０３を形成することは言及する価値がある。
【０１０１】
好ましい実施形態によれば、第１の位置決めユニット１２１１、第２の位置決めユニット１２１２、および第３の位置決めユニット１２２１は、第１および第２の鏡筒１２１、１２２の内側筒壁から一体化して突き出て、複数の環状突起プラットフォームを形成する。対応する光学レンズがそれによって支持できる限り、任意の形状の突起プラットフォームが修正できることが理解される。
【０１０２】
それに応じて、第１の光学レンズモジュール１０１が、第１の接着要素４１によって第２の光学レンズモジュール１０２で同軸上に連結される。第２の光学レンズモジュール１０２は、第２の接着要素４２によって第３の光学レンズモジュール１０３で同軸上に連結される。第３の光学レンズモジュール１０３は、第３の接着要素４３によってレンズ基部２２で連結される。第１〜第３の接着要素４１、４２、４３の各々は、好ましくは、熱硬化性接着剤と混合されたＵＶ接着剤を含有する混合接着剤であり、混合接着剤は、ＵＶ曝露下で半凝固状態であり、乾燥器内または加熱環境内など、熱処理後に凝固される。従って、第１の光学レンズモジュール１０１、第２の光学レンズモジュール１０２、第３の光学レンズモジュール１０３、およびレンズ基部２２は、混合接着剤によって半凝固状態で相互に連結されて、カメラレンズモジュールの事前組立を完了する。初期の事前組立プロセスの後、第１の光学レンズモジュール１０１、第２の光学レンズモジュール１０２および第３の光学レンズモジュール１０３は、較正すべき光学要素である。初期の組立状態下で、第１の光学レンズモジュール１０１、第２の光学レンズモジュール１０２、および第３の光学レンズモジュール１０３は、較正のためにカメラレンズモジュールの光学仕様を補正するために選択的に調整できる。言い換えれば、第１の光学レンズモジュール１０１、第２の光学レンズモジュール１０２、第３の光学レンズモジュール１０３、およびレンズ基部２２の相対組立位置が、レンズ組立体１０の組立許容差を修正するように調整可能であり、それにより、カメラレンズモジュールの獲得される画像品質を達成する。一旦、相対位置が修正されて補正されると、混合接着剤が次いで凝固されて、カメラレンズモジュール用の第１の光学レンズモジュール１０１、第２の光学レンズモジュール１０２、第３の光学レンズモジュール１０３、およびレンズ基部２２の相対位置がしっかりと保持されて永久的に取り付けられる。
【０１０３】
好ましくは、第１の光学レンズモジュール１０１、第２の光学レンズモジュール１０２、および第３の光学レンズモジュール１０３の１つにおける光学レンズの少なくとも１つは、カメラレンズモジュールの光学仕様を補正および修正するために、光学補正レンズとして移動可能な光学レンズである。光学レンズの残りは、固定光学レンズにできる。言い換えれば、第１の光学レンズモジュール１０１、第２の光学レンズモジュール１０２、および第３の光学レンズモジュール１０３の１つにおける光学レンズの少なくとも１つは、較正すべき光学要素として機能し、他方、光学レンズモジュールの残りは固定光学レンズである。
【０１０４】
１つだけの鏡筒が鏡筒セット１２で構築できることは言及する価値がある。好ましくは、鏡筒セット１２を形成するために２つ以上の鏡筒が構築でき、２つ以上の光学レンズが鏡筒の各々に取り付けられる。光学レンズまたは開口部材を備えた鏡筒は、１つ以上の光学レンズモジュールを形成できる。言い換えれば、光学レンズ、鏡筒、および光学レンズモジュールの数は、カメラレンズモジュールの構造的配置に応じて変わり得る。従って、本発明は、光学レンズ、鏡筒、および光学レンズモジュールの数によって制限されるべきではない。
【０１０５】
好ましい実施形態によれば、本発明は、１つ以上の光学レンズモジュールを備えたカメラレンズモジュールを組み立てる方法をさらに提供し、本方法は、以下のステップを含む。
【０１０６】
ステップ３０１：カメラレンズモジュールの画像センサーと１つ以上の光学レンズモジュールを組み立てる。
【０１０７】
ステップ３０２：光学レンズモジュールを画像センサーと事前組立して、カメラレンズモジュールを事前組立状態で形成する。
【０１０８】
ステップ３０３：カメラレンズモジュールの光学レンズモジュールを通して１つ以上の画像信号を取得する。
【０１０９】
ステップ３０４：光学レンズモジュールの較正パラメータを含む較正測定を較正ソフトウェアによって決定する。
【０１１０】
ステップ３０５：較正測定に応答して、光学レンズモジュールの組立位置を調整する。
【０１１１】
ステップ３０６：光学レンズモジュールの組立位置が調整されてカメラレンズモジュールの所望の分解能を達成した場合、ステップ３０７に進む。そうでない場合、レンズ組立体の光学レンズモジュールの各々の所望の分解能が得られる、すなわち、画像品質が容認可能になるまで、ステップ３０３〜３０５を繰り返す。
【０１１２】
ステップ３０７：混合接着剤を凝固させてレンズ組立体の１つ以上の光学レンズモジュールを画像センサーとともに永久的に固定して、カメラレンズモジュールを形成する。
【０１１３】
それに応じて、ステップ３０１は、以下のステップをさらに含む。色フィルタ２１がレンズ基部２２の第１の保持溝２２１で連結される。感光性チップ２３が、制御回路基板２４の上面に動作可能に連結される。次いで、レンズ基部２２は、感光性チップ２３を第２の保持溝２２２内で支持するために、制御回路基板２４の上面に連結される。画像センサー２０の組立プロセスが完了して、レンズ組立体１０と連結する。
【０１１４】
光学レンズセット１１、鏡筒セット１２、および開口部材１３が、第１の光学レンズモジュール１０１、第２の光学レンズモジュール１０２、および第３の光学レンズモジュール１０３を形成するために組み立てられる。
【０１１５】
具体的には、開口部材１３は、第１の鏡筒１２１の上部上に連結される。第１および第２の光学レンズ１１１、１１２が、それぞれ第１の鏡筒１２１の第１および第２の位置決めユニット１２１１、１２１２によって支持されて、第１の光学レンズモジュール１０１を形成する。好ましくは、第１の光学レンズモジュール１０１において、開口部材１３、第１の光学レンズ１１１、および第２の光学レンズ１１２が移動不可能な方法で第１の鏡筒１２１に固定して取り付けられ、そのため、開口部材１３、第１の光学レンズ１１１、および第２の光学レンズ１１２の相対組立位置は、第１の光学レンズモジュール１０１用の第１の鏡筒１２１に対して調整できない。
【０１１６】
第３の光学レンズ１１３は、第２の鏡筒１２２の第３の位置決めユニット１２２１によって支持される。好ましくは、第３の光学レンズ１１３の相対位置は、第２の鏡筒１２２内で調整できず、そのため、第３の光学レンズ１１３は、その第３の位置決めユニット１２２１により移動不可能な方法で第２の鏡筒１２２内に固定される。
【０１１７】
第４の光学レンズ１１４は、第３の鏡筒１２３の第４の位置決めユニット１２３１の上面に取り付けられ、他方、第５の光学レンズ１１５は、第３の鏡筒１２３の第４の位置決めユニット１２３１の底面に取り付けられる。好ましくは、第４の光学レンズ１１４および第５の光学レンズ１１５の相対位置は、第３の鏡筒１２３内で調整できず、そのため、第４の光学レンズ１１４および第５の光学レンズ１１５は、その第４の位置決めユニット１２３１により移動不可能な方法で第３の鏡筒１２３内に固定される。それに応じて、ドライバーユニット３０が第３の鏡筒１２３に同軸に取り付けられる。
【０１１８】
ステップ３０２では、第３の光学レンズモジュール１０３をレンズ基部２２で連結するために、第３の接着要素４３が最初に塗布され、第２の光学レンズモジュール１０２を第３の光学レンズモジュール１０３で同軸に連結するために、第２の接着要素４２が塗布され、次いで、第１の光学レンズモジュール１０１を第２の光学レンズモジュール１０２で同軸に連結するために、第１の接着要素４１が塗布される。従って、光学レンズモジュールの画像センサーとの事前組立が完了する。接着ステップは、光学レンズモジュールの画像センサーとの事前組立を完了するために、逆にできることは言及する価値があり、第１の光学レンズモジュール１０１を第２の光学レンズモジュール１０２で最初に連結するために、第１の接着要素４１が塗布され、第２の光学レンズモジュール１０２を第３の光学レンズモジュール１０３で同軸に連結するために、第２の接着要素４２が塗布され、次いで、第３の光学レンズモジュール１０３をレンズ基部２２で連結するために、第３の接着要素４３が塗布される。
【０１１９】
第１、第２、第３の接着要素４１、４２、４３は、事前組立プロセス中に、半凝固状態で塗布されることは言及する価値がある。前述したように第１〜第３の接着要素４１、４２、４３の各々は、熱硬化性接着剤と混合されたＵＶ接着剤を含有する混合接着剤であり、混合接着剤は、ＵＶ曝露下で半凝固状態であって、熱処理後に凝固される。従って、混合接着剤はカメラレンズモジュールの事前組立のために半凝固状態であり、そのため、光学レンズモジュールがそれに応じて保持できる間に、光学レンズモジュールは、較正のためにわずかに動かして調整できる。言い換えれば、カメラレンズモジュールの獲得される画像品質を達成するために、事前組立プロセスを通して、第１の光学レンズモジュール１０１、第２の光学レンズモジュール１０２、および第３の光学レンズモジュール１０３の相対組立位置が、レンズ組立体１０の中心線と一致するように選択的に調整することができ、それにより、感光性チップ２３の中心線とその偏差範囲内で一致する。
【０１２０】
ステップ３０３およびステップ３０４では、事前組立状態におけるカメラレンズモジュールは、１つ以上の画像信号を画像センサーから収集するために帯電される。較正ソフトウェアを通して、第１の光学レンズモジュール１０１、第２の光学レンズモジュール１０２、および第３の光学レンズモジュール１０３の較正パラメータなどの較正測定が決定される。
【０１２１】
好ましくは、カメラレンズモジュールの画像収集は、ＭＴＦ（変調伝達関数）検査対象に基づき、画像品質はＭＴＦ値によって決定される。それに応じて、より高いＭＴＦ値はより高い画像品質を指す。複数のＭＴＦ値が、カメラレンズモジュールから収集されたあらゆる画像に対して決定されて、所定の閾値と比較される。ＭＴＦ値が所定の閾値よりも大きいか、または等しい場合、収集および較正が完了する。ＭＴＦ値が所定の閾値よりも小さい場合、さらなる較正のために画像収集が繰り返される。
【０１２２】
各画像取得プロセスでは、容易な較正のために画像取得の精度および一貫性を確実にするため、カメラレンズモジュールは、検査対象とカメラレンズモジュールの捕捉距離および光源パラメータを含む所定の環境パラメータ下で、各画像を捕捉するために厳密に制御される必要があることは言及する価値がある。
【０１２３】
ＭＴＦ値に加えて、カメラレンズモジュールは、画像取得プロセス中に、黒いスポット、歪み、および／または陰を取り除くために監視されるべきである。
【０１２４】
較正ソフトウェアが、光学レンズの光感度に基づく第１の光学レンズモジュール１０１、第２の光学レンズモジュール１０２、および第３の光学レンズモジュール１０３の相対組立位置の較正のために使用されることは言及する価値がある。それに応じて、使用される較正ソフトウェアに基づく、第１の光学レンズモジュール１０１、第２の光学レンズモジュール１０２、および第３の光学レンズモジュール１０３の組立位置の較正プロセスは、以下のステップを含む。（１）較正の前に、ＭＴＦ値、光偏心測定、光軸傾斜角度、および像面湾曲を含む、カメラレンズモジュールの光学特性を測定する。（２）第１の光学レンズモジュール１０１、第２の光学レンズモジュール１０２、および第３の光学レンズモジュール１０３の相対組立位置に対応するＭＴＦ値、光偏心測定、光軸傾斜角度、および像面湾曲に応答して、第１の光学レンズモジュール１０１、第２の光学レンズモジュール１０２、および第３の光学レンズモジュール１０３の較正測定を決定する。
【０１２５】
ステップ３０４で、光学レンズモジュールの較正測定が決定された後、第１の光学レンズモジュール１０１、第２の光学レンズモジュール１０２、および第３の光学レンズモジュール１０３の相対位置が、ステップ３０５で示されるように、較正測定に応答して調整される。光学レンズモジュールの相対位置は同時に、または個別に調整できることは言及する価値がある。カメラレンズモジュールの獲得される画像品質を達成するために、第１の光学レンズモジュール１０１、第２の光学レンズモジュール１０２、および第３の光学レンズモジュール１０３の相対位置は、レンズ組立体１０の中心線と一致するように選択的に調整することができ、それにより、感光性チップ２３の中心線とその偏差範囲内で一致する。
【０１２６】
加えて、第１の光学レンズモジュール１０１、第２の光学レンズモジュール１０２、および第３の光学レンズモジュール１０３の相対位置は、以下のステップで較正される。第１の光学レンズモジュール１０１、第２の光学レンズモジュール１０２、および第３の光学レンズモジュール１０３の相対組立位置は、カメラレンズモジュールの６つの軸Ｘ、Ｙ、Ｚ、Ｕ、Ｖ、Ｗで定義される。第１の光学レンズモジュール１０１、第２の光学レンズモジュール１０２、および第３の光学レンズモジュール１０３の各々の相対位置を、水平方向、垂直方向、傾斜方向、および円周方向の少なくとも１つに沿って調整する。
【０１２７】
画像取得が、第１の光学レンズモジュール１０１、第２の光学レンズモジュール１０２、および第３の光学レンズモジュール１０３の全ての位置調整に対して要求され、そのためカメラレンズモジュールの各較正は、以前の画像取得に基づくことは言及する価値がある。言い換えれば、カメラレンズモジュールの獲得される画像品質が達成されるまで、第１の光学レンズモジュール１０１、第２の光学レンズモジュール１０２、および第３の光学レンズモジュール１０３の相対位置を較正するために、ステップ３０３、ステップ３０４、およびステップ３０５が繰り返され、次いで、混合接着剤を凝固させてレンズ組立体１０を形成するためにステップ３０７が実行される。
【０１２８】
それに応じて、ステップ３０２で、混合接着剤がＵＶ環境下で曝露される。次いで、較正プロセスが完了した後、カメラレンズモジュールは、混合接着剤の熱処理のために、例えば、乾燥器に送られる。一旦、混合接着剤が凝固されると、カメラレンズモジュールの構成要素は、永久的に固定されて、統合構成を形成し、それにより、カメラレンズモジュールの画像品質に影響を及ぼす構成要素の各々のいかなる望ましくない変位も防ぐ。
【０１２９】
ステップ３０２で、第１の光学レンズモジュール１０１、第２の光学レンズモジュール１０２、および第３の光学レンズモジュール１０３は、所定の配列で相互に重ね合わされることは言及する価値がある。言い換えれば、第１の光学レンズモジュール１０１、第２の光学レンズモジュール１０２、および第３の光学レンズモジュール１０３の相対位置は、入れ替えることができない。しかし、第１の光学レンズモジュール１０１、第２の光学レンズモジュール１０２、および第３の光学レンズモジュール１０３の組立順序は変更できる。例えば、第１の光学レンズモジュール１０１が、最初に第２の光学レンズモジュール１０２に事前連結でき、第２の光学レンズモジュール１０２が、第３の光学レンズモジュール１０３に事前連結でき、次いで、第３の光学レンズモジュール１０３がレンズ基部２２に事前連結されて、カメラレンズモジュールを形成する。代替として、第２の光学レンズモジュール１０２が第３の光学レンズモジュール１０３に最初に事前連結でき、第１の光学レンズモジュール１０１が第２の光学レンズモジュール１０２に事前連結でき、次いで、第３の光学レンズモジュール１０３がレンズ基部２２に事前連結されて、カメラレンズモジュールを形成する。または、第１の光学レンズモジュール１０１を第２の光学レンズモジュール１０２に連結した後、第１および第２の光学レンズモジュール１０１、１０２が第３の光学レンズモジュール１０３に連結され、次いで、第３の光学レンズモジュール１０３がレンズ基部２２に連結されて、カメラレンズモジュールを形成する。または、第１、第２、および第３の光学レンズモジュール１０１、１０２、１０３を相互に連結した後、３つのレンズモジュールがレンズ基部２２に連結されて、カメラレンズモジュールを形成する。本発明は、光学レンズモジュールの組立順序および数によって制限されるべきではない。
【０１３０】
４つ以上の光学レンズモジュールが組み立てられる場合、光学レンズモジュールの相対位置は、第１および最後の光学レンズモジュールを除いて、相互に交換可能であり得る。
【０１３１】
組立プロセスおよび事前組立プロセス中、カメラレンズモジュールの異なる許容差が制御される必要があることは言及する価値があり、それは、（１）開口部材１３と第１の鏡筒１２１との間の連結の組立許容差、（２）第１の光学レンズ１１１と第１の鏡筒１２１との間の連結、および第２の光学レンズ１１１と第１の鏡筒１２１との間の連結の組立許容差、（３）第３の光学レンズ１１３と第２の鏡筒１２２との間の連結の組立許容差、（４）第４の光学レンズ１１４と第３の鏡筒１２３との間の連結、および第５の光学レンズ１１５と第３の鏡筒１２３との間の連結の組立許容差、（５）色フィルタ２１とレンズ基部２２との間の連結、レンズ基部２２と制御回路基板２４との間の連結、および感光性チップ２３と制御回路基板２４との間の連結の組立許容差を含む。前述の許容差のいずれか１つが容認できない場合、第１の光学レンズモジュール１０１、第２の光学レンズモジュール１０２、および第３の光学レンズモジュール１０３の相対位置を較正することは困難であるか、またはカメラレンズモジュールの所望の分解能の達成さえできない。
【０１３２】
光学レンズモジュールの相対位置の較正は、光学レンズモジュールの相対組立位置の較正とも呼ばれることは言及する価値がある。
【０１３３】
図４および図５に示すように、第２の実施形態に従ったカメラレンズモジュールは、第１の実施形態の代替モードを示しており、カメラレンズモジュールは、レンズ組立体１０Ａおよび画像センサー２０Ａを備え、レンズ組立体１０Ａは、画像センサー２０Ａの光路に沿って配置され、そのため画像センサー２０Ａはレンズ組立体１０Ａを通して入射光を捕捉することができ、その光を画像信号に変換できる。それに応じて、レンズ組立体１０Ａの組立位置が画像センサー２０Ａに関して調整可能である。
【０１３４】
レンズ組立体１０Ａは、光学レンズセット１１Ａ、鏡筒セット１２Ａ、および鏡筒セット１２Ａの上部に連結された開口部材１３Ａを含み、光学レンズセット１１Ａは、開口部材１３Ａの下方の位置で鏡筒セット１２Ａ内に配置されて、感光性チップ２３Ａの感光経路に沿って配置される。鏡筒セット１２Ａは、画像センサー２０Ａで連結され、鏡筒セット１２Ａの組立位置が、カメラレンズモジュールの画像品質を確実にするために、画像センサー２０Ａに関して調整可能である。
【０１３５】
第２の実施形態によれば、光学レンズセット１１Ａは、第１の光学レンズ１１１Ａ、第２の光学レンズ１１２Ａ、および第３の光学レンズ１１３Ａを含む。鏡筒セット１２Ａは、第１の鏡筒１２１Ａ、第２の鏡筒１２２Ａ、および第３の鏡筒１２３Ａを含む。第１の鏡筒１２１Ａ、第２の鏡筒１２２Ａ、および第３の鏡筒１２３Ａは、第２の鏡筒１２２Ａが第１の鏡筒１２１Ａと第３の鏡筒１２３Ａとの間に配置されるように、順序正しく同軸に相互に連結される。第１の光学レンズ１１１Ａ、第２の光学レンズ１１２Ａ、および第３の光学レンズ１１３Ａは、それぞれ、第１の鏡筒１２１Ａ、第２の鏡筒１２２Ａ、および第３の鏡筒１２３Ａ内で支持される。第３の鏡筒１２３Ａは、レンズ基部としても機能する。固定焦点カメラレンズモジュールとしての第２の実施形態のカメラレンズモジュールでは、ドライバーユニットが省略されることは言及する価値がある。本発明によれば、異なる実施形態におけるカメラレンズモジュールは、固定焦点カメラレンズモジュールまたはズームカメラレンズモジュールにできる。
【０１３６】
第２の実施形態によれば、画像センサー２０Ａは、色フィルタ２１Ａ、レンズ基部２２Ａ（すなわち、第３の鏡筒１２３Ａ）、感光性チップ２３Ａ、および制御回路基板２４Ａを含む。色フィルタ２１Ａは、感光性チップ２３Ａの上方の位置で第３の鏡筒１２３Ａに連結される。言い換えれば、色フィルタ２１Ａは、感光性チップ２３Ａの感光経路に沿って提供される。感光性チップ２３Ａは、制御回路基板２４Ａの上に動作可能に連結される。
【０１３７】
具体的には、中空構造を有するように構成されている、第３の鏡筒１２３Ａは、画像センサー２０Ａの制御回路基板２４Ａ上に取り付けられ、第３の鏡筒１２３Ａは、第３の鏡筒１２３Ａの内側囲壁内に窪ませて形成された第１の保持溝２２１Ａ、第３の鏡筒１２３Ａの内側囲壁内に窪ませて形成された第２の保持溝２２２Ａ、および第３の鏡筒１２３Ａの内側囲壁内に窪ませて形成された第３の保持溝２２３Ａを有し、第１、第２、および第３の保持溝２２１Ａ、２２２Ａ、２２３Ａは同軸に相互に位置合わせされて、それぞれ、第３の鏡筒１２３Ａの上部、中央部、および下部に形成される。色フィルタ２１Ａは、第２の保持溝２２２Ａによって支持され、感光性チップ２３Ａは、第３の保持溝２２３Ａによって支持されて、制御回路基板２４Ａの上面上に動作可能に連結され、感光性チップ２３Ａは、レンズ組立体１０Ａからの入射光を捕捉して、その光を画像信号に変換する。
【０１３８】
開口部材１３Ａは、第１の鏡筒１２１Ａの上部で連結され、第１の鏡筒１２１Ａは、第１の鏡筒１２１Ａの下部に形成された第１の位置決めユニット１２１１Ａを含む。第１の位置決めユニット１２１１Ａは、第１の鏡筒１２１Ａの内側筒壁から半径方向内向きに延出し、第１の位置決めユニット１２１１Ａは、第１の鏡筒１２１Ａの内側筒壁から一体化して突き出て、環状突起プラットフォームを形成する。第１の光学レンズ１１１Ａは、第１の鏡筒１２１Ａの第１の位置決めユニット１２１１Ａで支持されて第１の光学レンズモジュール１０１Ａを形成する。それに応じて、第１の光学レンズ１１Ａは、開口部材１３Ａが第１の光学レンズモジュール１０１Ａの上部で連結される、カメラレンズモジュールのさらに遠い位置に配置される。
【０１３９】
第２の鏡筒１２２Ａは、第２の鏡筒１２２Ａの下部に形成された第２の位置決めユニット１２２１Ａを有する。第２の位置決めユニット１２２１Ａは、第２の鏡筒１２２Ａの内側筒壁から半径方向内向きに延出し、第２の位置決めユニット１２２１Ａは、第２の鏡筒１２２Ａの内側筒壁から一体化して突き出て、環状突起プラットフォームを形成する。第２の光学レンズ１１２Ａは、第２の鏡筒１２２Ａの第２の位置決めユニット１２２１Ａで支持されて第２の光学レンズモジュール１０２Ａを形成する。
【０１４０】
第３の鏡筒１２３Ａは、第３の鏡筒１２３Ａの上部に形成された第３の位置決めユニット１２３１Ａを有する。第３の位置決めユニット１２３１Ａは、第３の鏡筒１２３Ａの内側筒壁から半径方向内向きに延出し、第３の位置決めユニット１２３１Ａは、第３の鏡筒１２３Ａの内側筒壁から一体化して突き出て環状突起プラットフォームを形成する。第３の位置決めユニット１２３１Ａは、第１の保持溝２２１Ａの上方に配置される。第３の光学レンズ１１３Ａは、第３の鏡筒１２３Ａの第３の位置決めユニット１２３１Ａで支持されて第３の光学レンズモジュール１０３Ａを形成する。第３の光学レンズ１１３Ａは、第３の鏡筒１２３Ａ内で支持されるので、色フィルタ２１Ａ、感光性チップ２３Ａ、および制御回路基板２４Ａは、第３の鏡筒１２３Ａ内で第３の光学レンズ１１３Ａと一緒に組み立てられる。言い換えれば、色フィルタ２１Ａ、感光性チップ２３Ａ、制御回路基板２４Ａは、第３の鏡筒１２３Ａ内で組み立てられて、画像センサー２０Ａを形成する。
【０１４１】
第１の保持溝２２１Ａは、円形断面を有するように構成され、他方、第２および第３の保持溝２２２Ａ、２２３Ａは矩形断面を有するように構成されることは言及する価値がある。第１の位置決めユニット１２１１Ａ、第２の位置決めユニット１２２１Ａ、および第３の位置決めユニット１２３１Ａは、円形突起プラットフォームを有するように構成される。保持溝および位置決めユニットの形状は、例示を目的として示されており、制限されるべきではない。第１の保持溝２２１Ａ、第２の保持溝２２２Ａ、および第３の保持溝２２３Ａは、色フィルタ２１Ａ、感光性チップ２３Ａ、および制御回路基板２４Ａを支持するために異なる構造を有するように修正できることは言及する価値がある。第１の位置決めユニット１２１１Ａ、第２の位置決めユニット１２２１Ａ、および第３の位置決めユニット１２３１Ａも、第１の光学レンズ１１１Ａ、第２の光学レンズ１１２Ａ、および第３の光学レンズ１１３Ａを支持するために異なる構造を有するように修正できる。
【０１４２】
カメラレンズモジュールの事前組立プロセスの前に、光学レンズモジュールが組み立てられる。具体的には、開口部材１３Ａおよび第１の光学レンズ１１１Ａが第１の鏡筒１２１Ａで連結されて第１の光学レンズモジュール１０１Ａを形成する。第２の光学レンズ１１２Ａが第２の鏡筒１２２Ａで連結されて第２の光学レンズモジュール１０２Ａを形成する。第３の光学レンズ１１３Ａが第３の鏡筒１２３Ａで連結されて第３の光学レンズモジュール１０３Ａを形成する。次いで、色フィルタ２１Ａ、感光性チップ２３Ａ、および制御回路基板２４Ａが第３の鏡筒１２３Ａで連結されて画像センサー２０Ａを形成する。各構成要素の組立プロセス中、カメラレンズモジュールの異なる許容差が、容認可能な範囲内で制御される必要がある。前述の組立許容差のいずれか１つが容認できない場合、第１の光学レンズモジュール１０１Ａ、第２の光学レンズモジュール１０２Ａ、および第３の光学レンズモジュール１０３Ａの相対位置を較正することは困難であるか、またはカメラレンズモジュールの所望の分解能の達成さえできない。
【０１４３】
第２の実施形態によれば、第１の光学レンズモジュール１０１Ａおよび第２の光学レンズモジュール１０２Ａが事前組立され、光学レンズモジュール１０１Ａおよび第２の光学レンズモジュール１０２Ａは、光学レンズモジュール１０１Ａおよび第２の光学レンズモジュール１０２Ａの相対位置を選択的に調整するように較正される。言い換えれば、第１の光学レンズモジュール１０１Ａおよび第２の光学レンズモジュール１０２Ａの各々は、第１の光学レンズモジュール１０１Ａおよび第２の光学レンズモジュール１０２Ａの相対位置を選択的に調整するために較正すべき光学要素として機能する。
【０１４４】
事前組立プロセス中、第２の光学レンズモジュール１０２Ａが、第１の接着要素４１Ａによって第３の光学レンズモジュール１０３Ａで連結され、次いで、第１の光学レンズモジュール１０１Ａが、第２の接着要素４２Ａによって第２の光学レンズモジュール１０２Ａで連結される。前述のステップは逆にできることは言及する価値があり、第１の光学レンズモジュール１０１Ａが、第２の接着要素４２Ａによって第２の光学レンズモジュール１０２Ａで連結され、次いで、第２の光学レンズモジュール１０２Ａが、第１の接着要素４１Ａによって第３の光学レンズモジュール１０３Ａで連結される。第１の接着要素４１Ａおよび第２の接着要素４２Ａは、事前組立プロセス中、半凝固状態であることは言及する価値がある。
【０１４５】
第２の実施形態に従ったカメラレンズモジュールの較正は、第１の実施形態と同じであり、カメラレンズモジュールの獲得される画像品質を達成するために、第１の光学レンズモジュール１０１Ａおよび第２の光学レンズモジュール１０２Ａの相対位置は、レンズ組立体１０Ａの中心線と一致するように選択的に調整することができ、それにより、感光性チップ２３Ａの中心線とその偏差範囲内で一致する。
【０１４６】
図６〜図８に示すように、第３の実施形態に従ったカメラレンズモジュールは、第１および第２の実施形態の代替モードを示しており、カメラレンズモジュールは、レンズ組立体１０Ｂおよび画像センサー２０Ｂを備え、レンズ組立体１０Ｂは、画像センサー２０Ｂの光路に沿って配置され、そのため画像センサー２０Ｂはレンズ組立体１０Ｂを通して入射光を捕捉することができ、その光を画像信号に変換できる。それに応じて、レンズ組立体１０Ｂの相対組立位置が画像センサー２０Ｂに関して調整可能である。
【０１４７】
レンズ組立体１０Ｂは、光学レンズセット１１Ｂ、鏡筒セット１２Ｂ、および開口部材１３Ｂを含み、光学レンズセット１１Ｂおよび開口部材１３Ｂは、光路構成に従って鏡筒セット１２Ｂで連結される。光学レンズセット１１Ｂは、第１の光学レンズ１１１Ｂ、第２の光学レンズ１１２Ｂ、第３の光学レンズ１１３Ｂ、および第４の光学レンズ１１４Ｂを含む。鏡筒セット１２Ｂは、第１の鏡筒１２１Ｂ、第２の鏡筒１２２Ｂ、および第３の鏡筒１２３Ｂを含む。開口部材１３Ｂおよび第１の光学レンズ１１１Ｂは、光路構成に従って第１の鏡筒１２１Ｂで間隔を置いて連結される。具体的には、開口部材１３Ｂは、第１の鏡筒１２１Ｂの上端上に連結され、他方、第１の光学レンズ１１１Ｂは、第１の鏡筒１２１Ｂ内で支持されて第１の光学レンズモジュール１０１Ｂを形成する。第２の光学レンズ１１２Ｂは、第２の鏡筒１２２Ｂ内で支持されて第２の光学レンズモジュール１０２Ｂを形成する。第３の光学レンズ１１３Ｂ、第４の光学レンズ１１４Ｂ、およびドライバーユニット３０Ｂが、第３の鏡筒１２３Ｂで連結されて第３の光学レンズモジュール１０３Ｂを形成する。
【０１４８】
画像センサー２０Ｂは、色フィルタ２１Ｂ、レンズ基部２２Ｂ、感光性チップ２３Ｂ、および制御回路基板２４Ｂを含む。色フィルタ２１Ｂは、感光性チップ２３Ｂの上方の位置でレンズ基部２２Ｂに連結される。言い換えれば、色フィルタ２１Ｂは、感光性チップ２３Ｂの感光経路に沿って提供される。感光性チップ２３Ｂは、制御回路基板２４Ｂの上に動作可能に連結される。
【０１４９】
レンズ基部２２Ｂは、レンズ基部２２Ｂの内側囲壁内に窪ませて形成された第１の保持溝２２１Ｂ、およびレンズ基部２２Ｂの内側囲壁内に窪ませて形成された第２の保持溝２２２Ｂを有し、第１の保持溝２２１Ｂおよび第２の保持溝２２２Ｂは、それぞれ、レンズ基部２２Ｂの上部および下部に形成される。色フィルタ２１Ｂは、第１の保持溝２２１Ｂによって支持される。感光性チップ２３Ｂは、第２の保持溝２２２Ｂによって支持されて、制御回路基板２４Ｂの上面上に動作可能に連結され、感光性チップ２３Ｂは、レンズ組立体１０Ｂからの入射光を捕捉して、その光を画像信号に変換する。
【０１５０】
それに応じて、第３の鏡筒１２３Ｂは、レンズ基部２２Ｂに永久的に固定され、そのため、第３の鏡筒１２３Ｂの相対位置はレンズ基部２２Ｂに応答して調整できない。組立プロセス中、第３の光学レンズ１１３Ｂおよび第４の光学レンズ１１４Ｂは、それぞれ、第３の位置決めユニット１２３１Ｂおよび第４の位置決めユニット１２３２Ｂによって第３の鏡筒１２３Ｂ内で支持される。第３および第４の位置決めユニット１２３１Ｂ、１２３２Ｂは、第３の鏡筒１２３Ｂの内側筒壁から半径方向内向きに延出する。加えて、第３の光学レンズモジュール１０３Ｂは、画像センサー２０Ｂに永久的に固定され、そのため、第３の光学レンズモジュール１０３Ｂの相対位置は画像センサー２０Ｂに応答して調整できない。言い換えれば、第３の光学レンズモジュール１０３Ｂは、較正プロセス中に較正できない。
【０１５１】
第２の光学レンズモジュール１０２Ｂの組立プロセス中、第２の光学レンズ１１２Ｂは、第２の鏡筒１２２Ｂの内側筒壁から半径方向内向きに延出する、第２の位置決めユニット１２２１Ｂによって第２の鏡筒１２２Ｂ内で支持される。位置決め調整のため、第２の光学レンズ１１２Ｂは、第２の鏡筒１２２Ｂ内で支持されて、第２の光学レンズモジュール１０２Ｂを形成する。
【０１５２】
第１の光学レンズモジュール１０１Ｂの組立プロセス中、第１の光学レンズ１１１Ｂは、第１の鏡筒１２１Ｂの内側筒壁から半径方向内向きに延出する、第１の位置決めユニット１２１１Ｂによって第１の鏡筒１２１Ｂ内で支持される。具体的には、第１の光学レンズ１１１Ｂは、第１の位置決めユニット１２１１Ｂで、第１の接着要素４１Ｂにより半凝固状態で支持され、そのため、第１の光学レンズ１１１Ｂの相対位置が第１の鏡筒１２１Ｂ内で調整可能である。第３の実施形態によれば、較正プロセス中、第１の光学レンズ１１１Ｂは較正のために配置される。言い換えれば、第１の光学レンズ１１１Ｂは、光学要素の１つとして機能して、較正を目的とする光学要素となり得る。加えて、開口部材１３Ｂは、その組立プロセス中、第１の鏡筒１２１Ｂの上端に連結されて、第１の光学レンズモジュール１０１Ｂを形成する。
【０１５３】
具体的には、第１の鏡筒１２１Ｂは、その内部と連絡するために、第１の鏡筒１２１Ｂの筒壁に形成された少なくとも１つの較正チャネル１２１２Ｂを有し、較正チャネル１２１２Ｂは、スルースロット（ｔｈｒｏｕｇｈ  ｓｌｏｔ）である。第３の実施形態では、第１の鏡筒１２１Ｂの筒壁に、その中心に関して１２０°の間隔で均等に形成された３つの較正チャネル１２１２Ｂがある。具体的には、較正チャネル１２１２Ｂは、第１の光学レンズ１１１Ｂの相対位置が、較正チャネル１２１２Ｂの少なくとも１つを通して較正できるようにするために、第１の光学レンズ１１１Ｂの位置に対応して配置される。例えば、第１の鏡筒１２１Ｂ内で第１の光学レンズ１１１Ｂに接触して動かすために、プローブが較正チャネル１２１２Ｂ内に摺動自在に挿入でき、それにより、第１の光学レンズ１１１Ｂの相対位置を第１の鏡筒１２１Ｂ内で水平方向および垂直方向に調整する。従って、第１の鏡筒１２１Ｂ内の第１の光学レンズ１１１Ｂの較正が完了できる。
【０１５４】
カメラレンズモジュールの事前組立プロセス中、第３の光学レンズモジュール１０３Ｂが、画像センサー２０Ｂに取り付けられる。次いで、第２の光学レンズモジュール１０２Ｂが第３の接着要素４３Ｂによって第３の光学レンズモジュール１０３Ｂで連結され、第１の光学レンズモジュール１０１Ｂが第２の接着要素４２Ｂによって第２の光学レンズモジュール１０２Ｂで連結される。それに応じて、第２の接着要素４２Ｂおよび第３の接着要素４３Ｂは半凝固状態である。従って、第２の光学レンズモジュール１０２Ｂおよび第１の光学レンズモジュール１０１Ｂの相対位置が、較正のために個々に調整できる。
【０１５５】
第１の光学レンズモジュール１０１Ｂおよび第２の光学レンズモジュール１０２Ｂの相対位置は、調整可能である。従って、第１の光学レンズモジュール１０１Ｂおよび第２の光学レンズモジュール１０２Ｂも、較正すべき光学要素である。
【０１５６】
カメラレンズモジュールは、画像取得のために、事前組立プロセス中に帯電され、第１の光学レンズモジュール１０１Ｂ、第２の光学レンズモジュール１０２Ｂ、および第１の光学レンズ１１１Ｂの各々の較正パラメータなどの較正測定が、較正ソフトウェアを通して決定される。従って、第１の光学レンズモジュール１０１Ｂ、第２の光学レンズモジュール１０２Ｂ、および第１の光学レンズ１１１Ｂの相対位置が、較正測定に関して個々に調整される。画像取得は、第１の光学レンズモジュール１０１Ｂ、第２の光学レンズモジュール１０２Ｂ、および第１の光学レンズ１１１Ｂの全ての位置調整に対して要求され、そのためカメラレンズモジュールの各較正は、以前の画像取得に基づくことは言及する価値がある。一旦、カメラレンズモジュールの較正が完了すると、第１の接着要素４１Ｂ、第２の接着要素４２Ｂ、および第３の接着要素４３Ｂが凝固されて、第１の光学レンズモジュール１０１Ｂ、第２の光学レンズモジュール１０２Ｂ、および第１の光学レンズ１１１Ｂの組立位置を永久的に固定する。
【０１５７】
第１の光学レンズモジュール１０１Ｂの較正が完了すると、較正チャネル１２１２Ｂは密閉する必要があることは言及する価値がある。例えば、較正チャネル１２１２Ｂを密封して、第１の光学レンズ１１１Ｂの相対位置も固定するために、封止接着剤が較正チャネル１２１２Ｂに注入できる。加えて、封止接着剤は、前述の混合接着剤にでき、そのため、封止接着剤が較正チャネル１２１２Ｂを密封するために注入される場合、封止接着剤は、第１の接着要素４１Ｂが第１の鏡筒１２１Ｂ内で第１の光学レンズ１１１Ｂの相対位置を固定するために凝固される時と同時に熱処理によって凝固される。第２の接着要素４２Ｂおよび第３の接着要素４３Ｂも、第１の光学レンズモジュール１０１Ｂおよび第２の光学レンズモジュール１０２Ｂの相対位置を固定するための熱処理によって凝固される。
【０１５８】
それに応じて、第２の光学レンズモジュール１０２Ｂおよび第３の光学レンズモジュール１０３Ｂがレンズ基部２２Ｂに固定されるために１つのモジュールとして結合される場合、較正プロセスは、第１の光学レンズモジュール１０１Ｂを較正すべき光学要素として機能することによって完了できる。代替として、第１の光学レンズモジュール１０１Ｂおよび第２の光学レンズモジュール１０２Ｂは、較正すべき光学要素として機能するために１つのモジュールとして結合され、次いで、第３の光学レンズモジュール１０３Ｂがレンズ基部２２Ｂに固定される。従って、較正プロセスは、第１の光学レンズモジュール１０１Ｂ、第２の光学レンズモジュール１０２Ｂ、および第１の光学レンズ１１Ｂの組立位置を調整することによって完了できる。
【０１５９】
第１の光学レンズ１１１Ｂが事前組立できることは言及する価値がある。代替として、第２の光学レンズ１１２Ｂも事前組立でき、第３の光学レンズ１１３Ｂおよび第４の光学レンズ１１４Ｂの少なくとも１つが事前組立できる。各事前組立された光学レンズは、較正プロセスを通して較正できる。
【０１６０】
第３の実施形態によれば、本発明は、１つ以上の光学レンズモジュールを備えたカメラレンズモジュールを組み立てる方法をさらに含み、本方法は、以下のステップを含む。
【０１６１】
ステップ８０１：画像センサーを組み立てて、レンズ組立体の１つ以上のレンズモジュールを事前組立する。
【０１６２】
ステップ８０２：少なくとも１つの光学レンズモジュールと画像センサーを事前組立して、カメラレンズモジュールを事前組立状態で形成する。
【０１６３】
ステップ８０３：レンズ組立体の光学レンズモジュールを通して画像信号を取得する。
【０１６４】
ステップ８０４：レンズ組立体の光学レンズモジュールおよび光学レンズの較正パラメータを含む較正測定を較正ソフトウェアによって決定する。
【０１６５】
ステップ８０５：レンズ組立体の光学レンズモジュールおよび光学レンズの相対組立位置を較正測定に応答して調整する。
【０１６６】
ステップ８０６：光学レンズモジュールおよび光学レンズの各々の組立位置が調整されてカメラレンズモジュールの所望の分解能が得られる場合、ステップ８０７に進む。そうでない場合、カメラレンズモジュールの所望の分解能が得られるまで、ステップ８０３〜８０５を繰り返す。
【０１６７】
ステップ８０７：混合接着剤を凝固させて、光学レンズモジュールおよび光学レンズを画像センサーとともに永久的に固定して、カメラレンズモジュールを形成する。
【０１６８】
それに応じて、ステップ８０１で、画像センサーを組み立てるために、少なくとも１つの光学レンズモジュールが事前組立される。言い換えれば、光学レンズモジュール内の少なくとも１つの光学レンズの相対位置が調整可能であるように配置される。この実施形態では、第１のレンズモジュール１０１Ｂが事前組立されたレンズモジュールであり、第１の光学レンズ１１１Ｂの組立位置が少なくとも１つの方向に調整できる。言い換えれば、第１の光学レンズ１１１Ｂの組立位置が、水平方向、垂直方向、傾斜方向、および円周方向の少なくとも１つに沿って調整できる。第３の実施形態では、第２の光学レンズモジュール１０２Ｂ内の第２の光学レンズ１１２Ｂの組立位置ならびに第３の光学レンズモジュール１０３Ｂ内の第３の光学レンズ１１３Ｂおよび第４の光学レンズ１１４Ｂの組立位置が固定されて、調整できない。
【０１６９】
ステップ８０２で、光学レンズモジュールと画像センサーとの事前組立プロセスは、第３の光学レンズモジュール１０３Ｂがレンズ基部２２Ｂに永久的に固定されることである。次いで、第２の光学レンズモジュール１０２Ｂが第３の接着要素４３Ｂによって第３の光学レンズモジュール１０３Ｂに連結される。第１の光学レンズモジュール１０１Ｂが次いで、第２の接着要素４２Ｂによって第２の光学レンズモジュール１０２Ｂに連結される。第２の接着要素４２Ｂおよび第３の接着要素４３Ｂは、事前組立中、ＵＶ曝露下で半凝固状態であり、そのため、第１の光学レンズモジュール１０１Ｂおよび第２の光学レンズモジュール１０２Ｂの相対位置調整を較正のために可能にする。
【０１７０】
ステップ８０３〜ステップ８０５で、事前組立状態のカメラレンズモジュールが、画像取得のために帯電され、第１の光学レンズモジュール１０１Ｂ、第２の光学レンズモジュール１０２Ｂ、および第１の光学レンズ１１１Ｂの各々の較正パラメータなどの較正測定が、較正ソフトウェアを通して決定される。従って、第１の光学レンズモジュール１０１Ｂ、第２の光学レンズモジュール１０２Ｂ、および第１の光学レンズ１１１Ｂの相対組立位置が、較正測定に関して個々に調整される。カメラレンズモジュールの獲得される画像品質を達成するために、第１の光学レンズモジュール１０１Ｂ、第２の光学レンズモジュール１０２Ｂ、および第１の光学レンズ１１１Ｂの相対位置が、レンズ組立体１０Ｂの中心線と一致するように選択的に調整でき、それにより、感光性チップ２３Ｂの中心線とその偏差範囲内で一致する。
【０１７１】
画像取得は、第１の光学レンズモジュール１０１Ｂ、第２の光学レンズモジュール１０２Ｂ、および第１の光学レンズ１１１Ｂの全ての位置調整に対して要求されることは言及する価値がある。一旦、較正プロセスが完了すると、第１の接着要素４１Ｂ、第２の接着要素４２Ｂ、および第３の接着要素４３Ｂが加熱され凝固されて、第１の光学レンズモジュール１０１Ｂ、第２の光学レンズモジュール１０２Ｂ、および第１の光学レンズ１１１Ｂの相対位置を永久的に固定する。
【０１７２】
それに応じて、光学レンズモジュールおよび光学レンズの１つが、最初に較正されて、その相対位置を混合接着剤の凝固によって永久的に固定するために選択できる、較正順序が修正できる。次いで、事前組立された構成要素の残りが順番に較正されて固定できる。言い換えれば、事前組立された構成要素は、個々に較正され、相対位置が混合接着剤の凝固によって順番に固定される。事前組立された構成要素は、個々にまたは一緒に較正でき、次いで、相対位置が混合接着剤の凝固によって同時に固定できることが理解される。
【０１７３】
図９〜図１０に示すように、第４の実施形態に従ったカメラレンズモジュールは、第１〜第３の実施形態の代替モードを示しており、カメラレンズモジュールは、レンズ組立体１０Ｃおよび画像センサー２０Ｃを備え、レンズ組立体１０Ｃは、画像センサー２０Ｃの光路に沿って配置され、そのため画像センサー２０Ｃはレンズ組立体１０Ｂを通して入射光を捕捉することができ、その光を画像信号に変換できる。それに応じて、レンズ組立体１０Ｃの画像センサー２０Ｃに対する相対位置が、カメラレンズモジュールの獲得される画像品質を達成するために調整可能である。
【０１７４】
レンズ組立体１０Ｃは、光学レンズセット１１Ｃ、鏡筒セット１２Ｃ、および開口部材１３Ｃを含む。光学レンズセット１１Ｃは、第１の光学レンズ１１１Ｃ、第２の光学レンズ１１２Ｃ、および第３の光学レンズ１１３Ｃを含む。鏡筒セット１２Ｃは、第１の鏡筒１２１Ｃ、第２の鏡筒１２２Ｃ、および第３の鏡筒１２３Ｃを含む。開口部材１３Ｃは、第１の鏡筒１２１Ｃの上端上に連結される。第１の光学レンズ１１１Ｃは、第１の鏡筒１２１Ｃの内側筒壁から半径方向内向きに延出する第１の位置決めユニット１２１１Ｃによって、第１の鏡筒１２１Ｃ内で支持される。それに応じて、第１の光学レンズ１１１Ｃが第１の鏡筒１２１Ｃ内に取り付けられて、第１の光学レンズモジュール１０１Ｃを形成し、第１の光学レンズモジュール１０１Ｃは、開口部材１３Ｃが第１の光学レンズモジュール１０１Ｃの上部で連結される、カメラレンズモジュールのさらに遠い位置に配置される。具体的には、開口部材１３Ｃの第１の光学レンズモジュール１０１Ｃに関する組立位置が、少なくとも１つの方向に調整可能である。言い換えれば、開口部材１３Ｃの組立位置が、水平方向、垂直方向、傾斜方向、および円周方向の少なくとも１つに沿って調整できる。第２の光学レンズ１１２Ｃは、第２の鏡筒１２２Ｃの内側筒壁から半径方向内向きに延出する第２の位置決めユニット１２２１Ｃによって、第２の鏡筒１２２Ｃ内で支持される。それに応じて、第２の光学レンズ１１２Ｃが第２の鏡筒１２２Ｃ内に取り付けられて、第２の光学レンズモジュール１０２Ｃを形成する。第３の光学レンズ１１３Ｃは、第３の鏡筒１２３Ｃの内側筒壁から半径方向内向きに延出する第３の位置決めユニット１２３１Ｃによって、第３の鏡筒１２３Ｃ内で支持される。それに応じて、第３の光学レンズ１１３Ｃが第３の鏡筒１２３Ｃ内に取り付けられて、第３の光学レンズモジュール１０３Ｃを形成する。第３の光学レンズ１１３Ｃの第３の鏡筒１２３Ｃに関する組立位置は、少なくとも１つの方向に調整可能であることは言及する価値がある。言い換えれば、第３の光学レンズ１１３Ｃの組立位置は、水平方向、垂直方向、傾斜方向、および円周方向の少なくとも１つに沿って調整できる。第３の光学レンズモジュール１０３Ｃは、画像センサー２０Ｃで無調整式に固定され、第３の光学レンズモジュール１０３Ｃの第３の光学レンズ１１３Ｃはいかなる位置決め調整特徴もなしで、所定の位置に固定されることが理解されよう。
【０１７５】
第４の実施形態によれば、画像センサー２０Ｃは、色フィルタ２１Ｃ、レンズ基部（すなわち、第３の鏡筒１２３Ｃ）、感光性チップ２３Ｃ、および制御回路基板２４Ｃを含む。色フィルタ２１Ｃは、感光性チップ２３Ｃの上方の位置で第１の鏡筒１２３Ｃに連結される。言い換えれば、色フィルタ２１Ｃは、感光性チップ２３Ｃの感光経路に沿って提供される。感光性チップ２３Ｃは、制御回路基板２４Ｃの上に、動作可能に連結される。
【０１７６】
第３の鏡筒１２３Ｃは、第３の鏡筒１２３Ｃの内側囲壁内に窪ませて形成された第１の保持溝２２１Ｃ、第３の鏡筒１２３Ｃの内側囲壁内に窪ませて形成された第２の保持溝２２２Ｃ、および第３の鏡筒１２３Ｃの内側囲壁内に窪ませて形成された第３の保持溝２２３Ｃを有する。第１の保持溝２２１Ｃ，第２の保持溝２２２Ｃ、および第３の保持溝２２３Ｃは、それぞれ、第３の鏡筒１２３Ｃの上部、中央部、および下部に形成される。色フィルタ２１Ｃは、第２の保持溝２２２Ｃによって支持される。感光性チップ２３Ｃは、第３の保持溝２２３Ｃによって支持されて、制御回路基板２４Ｃの上面上に動作可能に連結される。制御回路基板２４Ｃは、第３の鏡筒１２３Ｃの底面で連結され、感光性チップ２３Ｃは、レンズ組立体１０Ｃからの入射光を捕捉して、その光を画像信号に変換する。
【０１７７】
開口部材１３Ｃは、第１の接着要素４１Ｃによって第１の鏡筒１２１Ｃに連結されることは言及する価値がある。第１の光学レンズモジュール１０１Ｃは、第２の接着要素４２Ｃによって第２の光学レンズモジュール１０２Ｃに連結される。第２の光学レンズモジュール１０２Ｃは、第３の接着要素４３Ｃによって第３の光学レンズモジュール１０３Ｃに連結される。第３の光学レンズ１１３Ｃは、第４の接着要素４４Ｃによって第３の鏡筒１２３Ｃ内で支持される。第４の実施形態によれば、開口部材１３Ｃ、第１の光学レンズモジュール１０１Ｃ、第２の光学レンズモジュール１０２Ｃ、第３の光学レンズモジュール１０３Ｃ、および第３の光学レンズ１１３Ｃは、較正すべき光学要素として機能する。従って、開口部材１３Ｃ、第１の光学レンズモジュール１０１Ｃ、および第２の光学レンズモジュール１０２Ｃの相対組立位置／変位は、感光性チップ２３Ｃに対応して調整可能である。言い換えれば、ＵＶ曝露下で半凝固状態の第１〜第４の接着要素４１Ｃ、４２Ｃ、４３Ｃ、４４Ｃを通して、開口部材１３Ｃ、第１の光学レンズモジュール１０１Ｃ、および第２の光学レンズモジュール１０２Ｃの相対位置が、事前組立プロセス中に調整可能である。半凝固状態の第１〜第４の接着要素４１Ｃ、４２Ｃ、４３Ｃ、４４Ｃは、較正プロセスを簡略化するためにいかなる望ましくない動きも防ぐため、開口部材１３Ｃ、第１の光学レンズモジュール１０１Ｃ、および第２の光学レンズモジュール１０２Ｃの相対位置を最初に保持することも可能である。
【０１７８】
第４の実施形態によれば、本発明は、カメラレンズモジュールを組み立てる方法をさらに含み、本方法は、以下のステップを含む。
【０１７９】
ステップ１００１：較正すべき光学要素を事前組立する。
【０１８０】
ステップ１００２：較正すべき光学要素を画像センサーと事前組立して、カメラレンズモジュールを事前組立状態で形成する。
【０１８１】
ステップ１００３：カメラレンズモジュールを通して画像信号を取得する。
【０１８２】
ステップ１００４：較正すべき光学要素の較正パラメータを含む較正測定を較正ソフトウェアによって決定する。
【０１８３】
ステップ１００５：較正すべき光学要素の画像センサーとの相対位置を較正測定に応答して調整する。
【０１８４】
ステップ１００６：較正すべき光学要素の相対位置が調整されてカメラレンズモジュールの所望の分解能が得られる場合、ステップ１００７に進む。そうでない場合、カメラレンズモジュールの所望の分解能が得られるまで、ステップ１００３〜１００５を繰り返す。
【０１８５】
ステップ１００７：混合接着剤を凝固させて、較正すべき光学要素を画像センサーと永久的に固定して、カメラレンズモジュールを形成する。
【０１８６】
ステップ１００１および１００２で、較正すべき光学要素は、光学レンズおよび開口部材の少なくとも１つ、ならびに光学レンズモジュールの少なくとも１つを含む。言い換えれば、光学レンズおよび開口部材の少なくとも１つは、１つの光学レンズモジュールと結合して、較正すべき光学要素として機能する。較正すべき光学要素の相対位置が、カメラレンズモジュールを較正するために調整される。第４の実施形態によれば、第３の光学レンズ１１３Ｃ、開口部材１３Ｃ、第１の光学レンズモジュール１０１Ｃ、第２の光学レンズモジュール１０２Ｃは、較正すべき光学要素である。カメラレンズモジュールの獲得される画像品質を達成するために、第３の光学レンズ１１３Ｃ、開口部材１３Ｃ、第１の光学レンズモジュール１０１Ｃ、第２の光学レンズモジュール１０２Ｃの相対位置は、レンズ組立体１０Ｃの中心線と一致するように調整され、それにより感光性チップ２３Ｃの中心線とその偏差範囲内で一致する。
【０１８７】
ステップ１１０１で、較正すべき光学要素の組立許容差が、後の較正のために制御されるべきである。
【０１８８】
ステップ１００３〜ステップ１００５で、カメラレンズモジュールが、画像取得のために帯電され、較正すべき光学要素の較正パラメータなどの較正測定が、較正ソフトウェアを通して決定され、そのため、較正すべき光学要素が較正測定に応答して較正できる。
【０１８９】
較正すべき光学要素の較正プロセスは、以下のステップを含む。
【０１９０】
（１）カメラレンズモジュールが、画像取得のために帯電され、第３の光学レンズ１１３Ｃの較正パラメータなどの較正測定が、較正ソフトウェアを通して決定され、そのため、第３の光学レンズ１１３Ｃが較正測定に応答して較正できる。言い換えれば、カメラレンズモジュールの獲得される画像品質を達成するために、第３の光学レンズ１１３Ｃの組立位置が、第３の光学レンズ１１３Ｃの中心線を感光性チップ２３Ｃの中心線と、その偏差範囲内で合わせるように調整される。第３の光学レンズ１１３Ｃの較正が獲得される画像品質を達成できない場合、獲得される画像品質が達成されるまで、第３の光学レンズ１１３Ｃの較正プロセスを繰り返す。画像取得は、第３の光学レンズ１１３Ｃの全ての位置調整に対して要求され、そのため第３の光学レンズ１１３Ｃの各較正は、以前の画像取得に基づく。一旦、第３の光学レンズ１１３Ｃの較正が完了すると、第４の接着要素４４Ｃが凝固されて、第３の光学レンズ１１３Ｃの組立位置を永久的に固定する。
【０１９１】
（２）カメラレンズモジュールが画像取得のために帯電され、第２の光学レンズモジュール１０２Ｃの較正パラメータなどの較正測定が、較正ソフトウェアを通して決定され、そのため、第２の光学レンズモジュール１０２Ｃが較正測定に応答して較正できる。言い換えれば、カメラレンズモジュールの獲得される画像品質を達成するために、第２の光学レンズモジュール１０２Ｃの組立位置が、第２の光学レンズモジュール１０２Ｃの中心線を感光性チップ２３Ｃの中心線と、その偏差範囲内で合わせるように調整される。第２の光学レンズモジュール１０２Ｃの較正が獲得される画像品質を達成できない場合、獲得される画像品質が達成されるまで、第２の光学レンズモジュール１０２Ｃの較正プロセスを繰り返す。画像取得は、第２の光学レンズモジュール１０２Ｃの全ての位置調整に対して要求され、そのため第２の光学レンズモジュール１０２Ｃの各較正は、以前の画像取得に基づく。一旦、第２の光学レンズモジュール１０２Ｃの較正が完了すると、第３の接着要素４３Ｃが凝固されて、第２の光学レンズモジュール１０２Ｃの組立位置を永久的に固定する。
【０１９２】
（３）カメラレンズモジュールが画像取得のために帯電され、第１の光学レンズモジュール１０１Ｃの較正パラメータなどの較正測定が、較正ソフトウェアを通して決定され、そのため、第１の光学レンズモジュール１０１Ｃが較正測定に応答して較正できる。言い換えれば、カメラレンズモジュールの獲得される画像品質を達成するために、第１の光学レンズモジュール１０１Ｃの組立位置が、第１の光学レンズモジュール１０１Ｃの中心線を感光性チップ２３Ｃの中心線と、その偏差範囲内で合わせるように調整される。第１の光学レンズモジュール１０１Ｃの較正が獲得される画像品質を達成できない場合、獲得される画像品質が達成されるまで、第１の光学レンズモジュール１０１Ｃの較正プロセスを繰り返す。画像取得は、第１の光学レンズモジュール１０１Ｃの全ての位置調整に対して要求され、そのため第１の光学レンズモジュール１０１Ｃの各較正は、以前の画像取得に基づく。一旦、第１の光学レンズモジュール１０１Ｃの較正が完了すると、第２の接着要素４２Ｃが凝固されて、第１の光学レンズモジュール１０１Ｃの組立位置を永久的に固定する。
【０１９３】
（４）カメラレンズモジュールが画像取得のために帯電され、開口部材１３Ｃの較正パラメータなどの較正測定が、較正ソフトウェアを通して決定され、そのため、開口部材１３Ｃが較正測定に応答して較正できる。言い換えれば、カメラレンズモジュールの獲得される画像品質を達成するために、開口部材１３Ｃの組立位置が、開口部材１３Ｃの中心線を感光性チップ２３Ｃの中心線と、その偏差範囲内で合わせるように調整される。開口部材１３Ｃの較正が獲得される画像品質を達成できない場合、獲得される画像品質が達成されるまで、開口部材１３Ｃの較正プロセスを繰り返す。画像取得は、開口部材１３Ｃの全ての位置調整に対して要求され、そのため開口部材１３Ｃの各較正は、以前の画像取得に基づく。一旦、開口部材１３Ｃの較正が完了すると、第１の接着要素４１Ｃが凝固されて、開口部材１３Ｃの組立位置を永久的に固定する。
【０１９４】
較正後、第３の光学レンズ１１３Ｃ、開口部材１３Ｃ、第１の光学レンズモジュール１０１Ｃ、第２の光学レンズモジュール１０２Ｃの相対組立位置が永久的に固定されてカメラレンズモジュールを形成する。
【０１９５】
第１の接着要素４１Ｃ、第２の接着要素４２Ｃ、第３の接着要素４３Ｃ、および第４の接着要素４４Ｃの各々は、好ましくは、熱硬化性接着剤と混合されたＵＶ接着剤を含有する混合接着剤であり、混合接着剤は、ＵＶ曝露下で半凝固状態であって、乾燥機内など、熱処理後に凝固される。従って、混合接着剤の凝固前に、較正すべき光学要素の組立位置が調整できる。
【０１９６】
較正ソフトウェアは、第３の光学レンズ１１３Ｃ、開口部材１３Ｃ、第１の光学レンズモジュール１０１Ｃ、第２の光学レンズモジュール１０２Ｃの相対位置を光学レンズの光感度に基づいて較正するために使用されることは言及する価値がある。それに応じて、第３の光学レンズ１１３Ｃ、開口部材１３Ｃ、第１の光学レンズモジュール１０１Ｃ、第２の光学レンズモジュール１０２Ｃの較正プロセスは、以下のステップを含む。較正の前に、光偏心測定、光軸傾斜角度、および像面湾曲を含む、カメラレンズモジュールの光学特性を測定する。第３の光学レンズ１１３Ｃ、開口部材１３Ｃ、第１の光学レンズモジュール１０１Ｃ、第２の光学レンズモジュール１０２Ｃの相対位置に対応する光偏心測定、光軸傾斜角度、および像面湾曲に応答して、第３の光学レンズ１１３Ｃ、開口部材１３Ｃ、第１の光学レンズモジュール１０１Ｃ、第２の光学レンズモジュール１０２Ｃの較正パラメータなどの較正測定を決定する。
【０１９７】
当業者は、図面に示して前述したような本発明の実施形態は、例示に過ぎず、制限することを意図していないことを理解するであろう。
【０１９８】
従って、本発明の目的は完全かつ効率的に達成されていることが分かるであろう。実施形態は、本発明の機能および構造的原理を例示する目的で示されて説明され、かかる原理から逸脱することなく、変更される可能性がある。従って、本発明は、以下のクレームの精神および範囲内に含まれる全ての修正を含む。
【図１】
2019505827.tif 000003
【図２】
2019505827.tif 000004
【図３】
2019505827.tif 000005
【図４】
2019505827.tif 000006
【図５】
2019505827.tif 000007
【図６】
2019505827.tif 000008
【図７】
2019505827.tif 000009
【図８】
2019505827.tif 000010
【図９】
2019505827.tif 000011
【図１０】
2019505827.tif 000012
【手続補正書】
【提出日】平成30年8月2日(2018.8.2)
【手続補正１】
【補正対象書類名】特許請求の範囲
【補正対象項目名】全文
【補正方法】変更
【補正の内容】
【特許請求の範囲】
【請求項１】
画像センサーと、
前記画像センサーの感光経路と一致するように、所定の位置で事前組立された少なくとも２つの光学レンズモジュールを含み、前記光学レンズモジュールの少なくとも１つの組立位置が前記画像センサーの前記感光経路と一致するように調整可能である、レンズ組立体と
を備える、カメラレンズモジュール。
【請求項２】
前記レンズ組立体が、光学レンズセットと、鏡筒セットと、開口部材とを含み、前記光学レンズセットは、少なくとも１つの光学レンズを含み、前記鏡筒セットは、少なくとも１つの鏡筒を含み、前記光学レンズは、その高さ方向に沿って前記鏡筒内で支持されて、前記光学レンズモジュールの少なくとも１つを形成し、前記光学レンズモジュールの少なくとも１つの前記組立位置が、前記カメラレンズモジュールの６つの軸Ｘ、Ｙ、Ｚ、Ｕ、Ｖ、Ｗで調整可能であり、前記光学レンズの前記少なくとも１つが、前記光学レンズモジュールの１つ内の少なくとも１つの前記光学レンズの前記組立位置が調整可能である、前記光学レンズモジュールの１つ内で事前組立され、前記光学レンズモジュールの１つ内の前記光学レンズが、その組立位置を少なくとも１つの方向に選択的に調整され、前記鏡筒セットが、前記鏡筒の内部を外側と連絡するために前記鏡筒の筒壁に形成された少なくとも１つの較正チャネルを含み、前記較正チャネルは、前記鏡筒内で事前組立された前記光学レンズと位置合わせされ、そのため、前記鏡筒内の前記光学レンズの前記組立位置が前記較正チャネルを通して調整可能である、請求項１に記載のカメラレンズモジュール。
【請求項３】
前記開口部材が、前記光学レンズモジュールの上部で連結されて、前記開口部材の前記光学レンズモジュールに関する相対位置が調整可能であり、前記開口部材の前記光学レンズモジュールに関する前記相対位置が少なくとも１つの方向に調整可能である、請求項３５２に記載のカメラレンズモジュール。
【請求項４】
前記レンズ組立体が、接着要素によって半凝固状態で事前組立され、前記接着要素が、ＵＶ曝露下で前記半凝固状態で形成され、熱処理後に凝固されて前記レンズ組立体の前記組立位置を固定し、事前組立状態の間、前記レンズ組立体の前記組立位置を較正ソフトウェアによって決定するために、前記レンズ組立体が帯電されて画像を捕捉し、それにより、前記レンズ組立体を正確に調整する、請求項１に記載のカメラレンズモジュール。
【請求項５】
固定焦点カメラレンズモジュールであり、前記画像センサーは、色フィルタと、レンズ基部と、感光性チップと、制御回路基板とを含み、前記感光性チップは、前記制御回路基板の上部に連結されて、前記色フィルタおよび前記感光性チップは、前記レンズ基部上に取り付けられ、少なくとも１つの前記光学レンズモジュールは前記レンズ基部上で事前組立され、事前組立状態の間、前記レンズ組立体の前記組立位置を較正ソフトウェアによって決定するために、前記レンズ組立体が帯電されて画像を捕捉し、それにより、前記レンズ組立体を正確に調整する、請求項１に記載のカメラレンズモジュール。
【請求項６】
自動焦点カメラレンズモジュールであり、ドライバーをさらに備え、前記画像センサーは、色フィルタと、感光性チップと、制御回路基板とを含み、前記感光性チップは、前記制御回路基板の上部に連結されて、前記色フィルタおよび前記感光性チップは、前記レンズ基部内に取り付けられ、前記ドライバーは前記鏡筒セット上に取り付けられ、事前組立状態の間、前記レンズ組立体の前記組立位置を較正ソフトウェアによって決定するために、前記レンズ組立体が帯電されて画像を捕捉し、それにより、前記レンズ組立体を正確に調整する、請求項１に記載のカメラレンズモジュール。
【請求項７】
カメラレンズモジュールを組み立てる方法であって、
（Ａ）較正すべき光学要素を事前組立状態で事前組立することと、
（Ｂ）画像信号を前記光学要素を通して取得することと、
（Ｃ）前記光学要素の較正パラメータを含む較正測定を較正ソフトウェアによって決定することと、
（Ｄ）前記光学要素の相対組立位置を前記較正測定に応答して調整することと、
（Ｅ）前記光学要素の相対組立位置が前記カメラレンズモジュールの獲得される分解能を得るように調整される、前記較正の結果が、前記獲得される分解能を満足する場合、ステップ（Ｆ）を実行し、そうでなければ、前記較正の前記結果が前記所望の分解能を満足できない場合、ステップ（Ｂ）〜（Ｄ）を繰り返すことと、
（Ｆ）前記光学要素を画像センサーと永久的に固定して、前記カメラレンズモジュールを形成することと
のステップを含む、方法。
【請求項８】
前記ステップ（Ａ）で、較正すべき前記光学要素が、鏡筒内に固定された光学レンズを含む少なくとも１つの光学レンズモジュール含み、前記光学レンズモジュールの組立位置が前記画像センサーに関して調整可能である間に、前記光学レンズモジュールが、前記画像センサーの感光経路に沿って事前組立され、前記ステップ（Ａ）で、較正すべき前記光学要素が、その位置が組立プロセス中に較正される、少なくとも２つの光学レンズモジュールを含み、前記光学要素が、前記カメラレンズモジュールの最も外側において前記光学レンズモジュールの上部で事前組立される開口部材をさらに含み、前記開口部材の組立位置が前記光学レンズモジュールの前記相対位置に関して調整可能である、請求項７に記載の方法。
【請求項９】
前記ステップ（Ａ）で、較正すべき前記光学要素が、１つ以上の光学レンズおよび１つ以上の光学レンズモジュールを含み、前記光学レンズが前記光学レンズモジュール内で事前組立され、前記光学レンズモジュールの組立位置が前記画像センサーに関して調整可能である間に、前記光学レンズモジュールが、前記画像センサーの感光経路に沿って相互に事前組立され、前記ステップ（Ａ）で、較正すべき前記光学要素が、その位置が組立プロセス中に較正される、少なくとも２つの光学レンズモジュールを含み、前記光学要素が、前記カメラレンズモジュールの最も外側において前記光学レンズモジュールの上部で事前組立される開口部材をさらに含み、前記開口部材の組立位置が前記光学レンズモジュールの前記相対位置に関して調整可能である、請求項７に記載の方法。
【請求項１０】
前記ステップ（Ａ）で、前記光学要素が、接着要素によって半凝固状態で事前組立され、前記接着要素は、ＵＶ曝露下で前記半凝固状態で形成され、熱処理後に凝固されて、ステップ（Ｆ）で前記光学要素の前記組立位置を固定する、請求項７に記載の方法。
【請求項１１】
前記ステップ（Ｂ）で、前記事前組立状態の前記カメラレンズモジュールは、前記カメラレンズモジュールの画像を収集するために帯電され、前記カメラレンズモジュールの前記画像収集が、ＭＴＦ（変調伝達関数）検査対象の捕捉に基づき、画像品質がＭＴＦ値によって決定され、より高いＭＴＦ値はより高い画像品質を指し、複数のＭＴＦ値が、前記カメラレンズモジュールから収集されたあらゆる画像に対して決定されて、所定の閾値と比較され、前記ＭＴＦ値が前記所定の閾値よりも大きいか、または等しい場合、前記収集および較正が完了し、前記ＭＴＦ値が前記所定の閾値よりも小さい場合、さらなる較正のために前記画像収集が繰り返される、請求項７に記載の方法。
【請求項１２】
各画像取得プロセス中、前記後続の較正プロセスを容易にするために前記画像取得の精度および一貫性を確実にするため、前記カメラレンズモジュールは、前記ＭＴＦ検査対象と前記カメラレンズモジュールとの間の捕捉距離および光源パラメータを含む所定の環境パラメータ下で各画像を捕捉するために厳密に制御される必要があり、画像収集の前記収集プロセス中、前記ＭＴＦ値に対して、前記カメラレンズモジュールは、前記画像取得プロセス中に、黒いスポット、歪み、および／または陰を取り除くために監視される、請求項１１に記載の方法。
【請求項１３】
前記ステップ（Ｃ）で、較正すべき前記光学要素の前記組立位置の前記較正に使用される前記ソフトウェアが、光学レンズ構成要素の光感度に基づく調査に対して適合され、前記光学レンズ構成要素の組立位置の前記較正値の計算方法のために使用される前記ソフトウェアは：（１）前記較正の前に、ＭＴＦ値、光偏心測定、光軸傾斜角度、および像面湾曲を含む、前記カメラレンズモジュールの光学特性を測定することと、（２）較正すべき前記光学要素の前記組立位置に対応する前記光偏心測定、光軸傾斜角度、および像面湾曲の感度に応答して較正すべき前記光学要素の前記組立位置の要求される較正値を計算することとのステップを含む、請求項７に記載の方法。
【請求項１４】
前記ステップ（Ｃ）で、較正すべき前記光学要素の前記組立位置の前記較正に使用される前記ソフトウェアが、光学レンズ構成要素の光感度に基づく調査に対して適合され、前記光学レンズ構成要素の組立位置の前記較正値の計算方法のために使用される前記ソフトウェアは：（１）前記較正の前に、ＭＴＦ値、光偏心測定、光軸傾斜角度、および像面湾曲を含む、前記カメラレンズモジュールの光学特性を測定することと、（２）較正すべき前記光学要素の前記組立位置に対応する前記光偏心測定、光軸傾斜角度、および像面湾曲の感度に応答して較正すべき前記光学要素の前記組立位置の要求される較正値を計算することとのステップを含む、請求項１１に記載の方法。
【請求項１５】
前記ステップ（Ｄ）で、前記カメラレンズモジュールの前記相対位置に関して較正すべき前記光学要素の前記組立位置が少なくとも１つの方向に調整可能である、請求項１１に記載の方法。
【国際調査報告】
2019505827.tif 000013
2019505827.tif 000014
2019505827.tif 000015
2019505827.tif 000016
2019505827.tif 000017
2019505827.tif 000018